(57)【要約】【課題】青系の短波長レーザで良好な記録再生が可能な追記型光ディスクを得る。【解決手段】この光ディスクは、変調された短波長レーザのパワーにより、スペースを挟んで複数のマークの記録が行われる記録層（Ｌ０、Ｌ１等）を持つ。この光ディスクの記録層には、記録されたマークの領域内で記録層の物理的な変形あるいは変化（例えば体積変化）が実質的に生じない（例えば変化が１０％以下）有機色素材料を用いる。【選択図】  図２２
2010205412.tif 000002
【特許請求の範囲】
【請求項１】
変調された光により、スペースを挟んで複数のマークの記録が行われる記録層を持つ光ディスクにおいて、 
前記記録層に前記マークを記録する際に用いるチャネルクロック周期をＴとするとき、
２Ｔ以上の長さの前記マークが記録可能であり、
３Ｔ以上の長い前記マークを記録する際には複数のパルスが利用され、
前記３Ｔ以上の長い前記マークの記録に利用される前記複数のパルスの末尾に来るラストパルスの幅のとり得る値が所定の範囲内となるようにして前記記録マークが記録され、
前記記録層の波長４０５ｎｍにおける吸光度が４０％以上である光ディスク。
【請求項２】
請求項１に記載の光ディスクに情報記録を行う方法において、
前記変調された光により前記記録層にオブジェクトデータを記録し、
前記変調された光により前記記録層に前記オブジェクトデータの管理情報を記録する記録方法。
【請求項３】
請求項１に記載の光ディスクから情報再生を行う方法において、
所定波長の光により前記記録層から管理情報を再生し、
前記光により前記記録層から前記管理情報で管理されているオブジェクトデータを再生する再生方法。
【請求項４】
前記記録は、開口数ＮＡが０．６０、０．６５、または０．８５の対物レンズを介して行われる。
【発明の詳細な説明】
【技術分野】
【０００１】
この発明は、情報の記録再生を可能とした追記型光ディスク等の情報記録媒体に関する。
【背景技術】
【０００２】
光ディスクには、大きく分けて再生専用のＲＯＭディスク、追記型のＲディスク、書き換え型のＲＷまたはＲＡＭディスクの３種類がある。情報の大容量化に伴い、光ディスクにおいても、更なる大容量化が求められている。光ディスクを大容量化するためには、レーザ波長を短くする、あるいは開口数ＮＡを大きくするなどしてビームスポットを絞り込み記録密度を上げる方法、あるいはディスクの片面に複数の記録層を設けた多層構造とする方法などがある(特許文献１)。
【０００３】
このうち、多層構造をとる光ディスクは、主に再生専用の２層ＲＯＭディスクが市場に出ているが、最近ではレーザ波長６５０ｎｍを用いた追記型の２層ディスク（ＤＶＤ−Ｒ：ＤＬ）においても製品化されている。ＤＶＤ−Ｒなど、記録層に有機色素材料を用いた光ディスクを記録再生する方法では、レーザ光のパワーを変調することにより、色素の反射率変化を引き起こした記録マークを形成し、記録マークと未記録部の反射率差を利用して情報記録が行われる。レーザ光のパワー変調方法については、例えばＤＶＤ−Ｒではマルチパルスで行われる(特許文献２)。
【先行技術文献】
【特許文献】
【０００４】
【特許文献１】特開２００４−２０６８４９号公報（段落００３６〜００４１、図１参照）
【特許文献２】特開平９−２８２６６０号公報（要約参照）
【発明の概要】
【発明が解決しようとする課題】
【０００５】
波長が４０５ｎｍ前後の青系レーザを用いて記録が可能となる色素には、最大吸収波長がレーザ波長である４０５ｎｍよりも短い色素と長い色素の２種類がある。ここで、最大吸収波長が４０５ｎｍよりも長い色素を用いると、記録前の低反射率から記録後に高反射率となる、いわゆるＬtoＨディスクとなる。
【０００６】
ところが、このＬtoＨディスクにおいて、記録層が単層の追記型光ディスクでは良好な特性を得ることが可能であったが、片面２層の記録層を備えた追記型光ディスクで特性を調べてみると、特性が非常に悪くなることが判明した。特に、この現象はレーザ受光面に近い記録層（Ｌ０層）で顕著であった。
【０００７】
この発明の課題の１つは、特に６２０ｎｍより短い波長の光で記録を行った場合において、記録層が単層であるか多層であるかに係わらず良好な記録／再生が可能な有機色素材料を用いた情報記録媒体（追記型光ディスク）を提供することである。
【課題を解決するための手段】
【０００８】
この発明の一実施の形態に係る光ディスクは、変調されたレーザパワーにより、スペースを挟んで複数のマークの記録が行われる記録層（Ｌ０、Ｌ１等）を持つ。この光ディスクにおいて、記録された前記マークの領域内で前記記録層の物理的な変形あるいは変化（体積または断面積の変化）が実質的に生じない（例えば変形あるいは変化が１０％以下）有機色素材料（図２〜図４等）を、前記記録層に用いる。
【発明の効果】
【０００９】
単層のみならず多層の追記型光ディスクにおいても、良好な記録再生を行うことが可能となる。
【図面の簡単な説明】
【００１０】
【図１】この発明の一実施の形態に係る多層光ディスクの構成例を説明する図。
【図２】記録層用有機材料の金属錯体部分の具体例を示す図。
【図３】記録層用有機材料の色素部分の一例を示す図。
【図４】記録層用有機材料の色素部分の他例を示す図。
【図５】現行ＤＶＤ−Ｒディスクに用いられている有機色素記録材料の光吸収スペクトル特性の一例の説明図。
【図６】相変化記録膜と有機色素記録膜でのプリピット領域またはプリグルーブ領域１０での記録膜の形成形状比較を示す図。
【図７】従来の有機色素材料を用いた追記形情報記憶媒体における記録マーク９位置での具体的な透明基板２−２の塑性変形状況を示す図。
【図８】“Ｌ→Ｈ”記録膜における未記録状態での光吸収スペクトル特性の説明図。
【図９】“Ｌ→Ｈ”記録膜における既記録状態と未記録状態での光吸収スペクトル特性変化を表す図。
【図１０】書替え形情報記憶媒体上に記録される書替え可能データのデータ記録方法を示す図。
【図１１】書替え形情報記憶媒体上に記録される書替え可能データのデータランダムシフト説明図。
【図１２】追記形情報記憶媒体上に記録される追記形データの追記方法の説明図。
【図１３】“Ｈ→Ｌ”記録膜と“Ｌ→Ｈ”記録膜の光反射率範囲を示す図。
【図１４】ＰＯインターリーブ後のＥＣＣブロックの詳細構造を示す図。
【図１５】記録位置管理データＲＭＤ内のデータ構造を示す図。
【図１６】追記形情報記憶媒体におけるボーダー領域の構造を説明する図。
【図１７】この発明の一実施の形態と現行ＤＶＤ−Ｒとの比較を示す図。
【図１８】情報再生装置もしくは情報記録再生装置における情報記憶媒体装着直後の処理手順を示すフローチャート図。
【図１９】情報記録再生装置における追記形情報記憶媒体への情報の追記方法を説明するためのフローチャート図。
【図２０】拡張可能な記録位置管理ゾーンＲＭＺの設定方法の概念を示す図。
【図２１】図２０の詳細を示す図。
【図２２】この発明の一実施の形態に係る光ディスクにおいて、記録されたマークの体積変化量（またはマークとその周囲との界面の状態変化）とエラーレートとの関係を説明する図。
【図２３】この発明の一実施の形態に係る光ディスクにおいて、記録されたマーク間のスペースからの再生信号レベルの変化量とエラーレートとの関係を説明する図。
【図２４】この発明の一実施の形態に係る光ディスクを用いた記録方法を説明するフローチャート図。
【図２５】この発明の一実施の形態に係る光ディスクを用いた再生方法を説明するフローチャート図。
【図２６】図１の光ディスクにおける物理セクタレイアウト例を説明する図。
【図２７】図１の光ディスクにおけるリードイン領域の構成例を説明する図。
【図２８】図２７のコントロールデータゾーンの構成例を説明する図。
【図２９】図２８の構成例を説明する図。
【図３０】図２９の物理フォーマット情報の一例を説明する図。
【図３１】図３０の物理フォーマット情報内のデータ領域配置の一例を説明する図。
【図３２】図２９の物理フォーマット情報の一部（Ｌ０関連）の構成例を説明する図。
【図３３】図２９の物理フォーマット情報の他部（Ｌ１関連）の構成例を説明する図。
【図３４】記録パルスの波形（ライトストラテジ）の例を説明する図。
【発明を実施するための形態】
【００１１】
上記した課題を解決するため種々検討したところ、単層のディスクに記録再生を行った際に得られる電気信号から若干のマーク歪みが観測される色素を用いたときに２層ディスクの特性が悪くなり、マーク歪みがほとんど観測されない色素を用いれば、２層ディスクとしたときにも良好な特性を得ることができることを見出した。
【００１２】
マーク歪みが生じる色素を用いると２層ディスクの特性が悪くなる原因は、２層にすると、Ｌ０層の反射膜１０６を半透過反射膜としなければならず、充分な放熱が得られないため、余計に歪みが大きくなるためと考えられる。
【００１３】
ここで、半透過反射膜を使用したときのマーク歪みは、記録の際のレーザ発光波形を変えても歪みがない状態にすることはできず、マーク部と接するスペース部の反射率も上がることから、記録マークの後部で色素体積や界面状態など物理的変化が生じることで発生すると考えられる。ディスク１００の記録膜表面をＳＥＭで観察すると、記録前より記録後のほうが表面が荒れており、記録により色素の体積変化が生じていると考えられる。
【００１４】
一方、マーク歪みがほとんどない色素を用いたディスク１００の記録膜表面をＳＥＭで観察すると、記録後の表面も荒れていなかった。
【００１５】
また、マーク歪みのない色素について、記録後のディスクから色素を抽出し、記録前のディスクから抽出した色素とＨＰＬＣで分析比較を行ったが、全く違いは見受けられなかった。また、ＮＭＲ、ＩＲ、ＭＳでの分析も行ったが、こちらも全く違いは見受けられず、化学的な変化により記録が行われているのではないことが判明した。
【００１６】
従って、課題を解決するには、記録層（Ｌ０および／またはＬ１）の材料に有機色素を用いた情報記録媒体（単層または多層の追記型光ディスク）において、情報を記録する際にはレーザのパワーを変調することによって行い、情報を記録したときに記録マーク領域内で記録層の変形がほとんど生じないような有機色素材料を選択すればよい。
【００１７】
具体的には、記録マーク領域における記録層の体積変化あるいは記録層界面状態の変化が１０％以下に収まるような色素材料を用いることが好ましい。さらに、情報を記録したときに記録層が化学的変化を起こさない色素材料を用いることが好ましい。より具体的には、記録層として使用する有機色素のうち、少なくとも一部が中心金属に銅CuまたはニッケルNiを用いたアゾ金属錯体を含むことが好ましい。
【００１８】
また、記録マーク領域における記録層の体積変化あるいは記録層界面状態の変化がある状態では、長いマーク・スペースの繰り返しパターン（例えば１１Ｔパターン）を記録したときに再生信号の歪みが生じやすい。従って、マーク長、スペース長共に１．２＊λ／ＮＡ（λ：記録に用いるレーザ波長、ＮＡ:開口数）よりも長いパターンを記録したときの信号を再生したとき、スペース部の信号レベルの最大値と最小値の差（［I11Lmax-I11Lmin］）が最小値（I11min）の１０％以下とするとより好ましい。
【００１９】
以下、図面を参照してこの発明の種々な実施の形態を説明する。図１は、この発明の一実施の形態に係る光ディスク（具体例として追記型の片面２層光ディスク）１００の構成例を説明する図である。図１（ａ）（ｂ）に例示されるように、この光ディスク１００は、例えばポリカーボネート（ＰＣ）等の合成樹脂材料で円盤状に形成された透明樹脂基板１０１を備えている。この透明樹脂基板１０１には、同心円状またはらせん状に溝（グルーブ）が形成されている。この透明樹脂基板１０１は、スタンパを用いて射出成形により製造することができる。
【００２０】
ここで、ポリカーボネート等の０．５９ｍｍ厚透明樹脂基板１０１上に第１層目（Ｌ０）の有機色素記録層１０５および光半透過反射層１０６を順に積層し、その上にフォトポリマー（２Ｐ樹脂）１０４をスピンコートする。そして、その上に第２層目（Ｌ１）の溝（グルーブ）形状を転写して第２層目の有機色素記録層１０７および銀または銀合金等の反射膜１０８を順に積層する。こうしてＬ０およびＬ１の記録層が積層されたものに、他の０．５９ｍｍ厚の透明樹脂基板（あるいはダミー基板）１０２が、ＵＶ硬化樹脂（接着層）１０３を介して貼り合わされる。上記有機色素の記録膜（記録層１０５および１０７）は、半透過反射層１０６及び中間層１０４を挟む２層構造となっている。こうして出来上がった貼り合わせ光ディスクの合計厚は、ほぼ１．２ｍｍとなる。
【００２１】
ここで、透明樹脂基板１０１上には、例えばトラックピッチ０．４μm、深さ６０ｎｍのらせん状グルーブが（Ｌ０とＬ１の各層に）形成されている。このグルーブはウォブルしており、アドレス情報はこのウォブル上に記録されている。そして、この透明樹脂基板１０１上に、そのグルーブを充填するように、有機色素を含む記録層１０５、１０７が形成される。
【００２２】
この記録層１０５、１０７を形成する有機色素としては、その最大吸収波長領域が記録波長（例えば４０５ｎｍ）よりも長波長側にシフトしているものを用いることができる。また、記録波長領域において吸収が消滅しているのではなく、その長波長領域（例えば４５０ｎｍ〜６００ｎｍ）でも相当の光吸収を有するように設計される。
【００２３】
上記有機色素（具体例は後述）は、溶媒に溶かすことで液体とし、スピンコート法により透明樹脂基板面に容易に塗布することができる。この場合、溶媒による希釈率、スピン塗布時の回転数を制御することにより、膜厚を高精度に管理することができる。
【００２４】
なお、情報記録前のトラック上を記録用レーザ光によりフォーカシングまたはトラッキングした場合は、低光反射率である。その後、レーザ光により色素の分解反応が生じ、光吸収率が低下することにより、記録マーク部分の光反射率が上昇する。このため、レーザ光を照射して形成した記録マーク部分の光反射率が、レーザ光照射前の光反射率よりも高くなるという、いわゆるＬｏｗ−ｔｏ−Ｈｉｇｈ（またはＬ to Ｈ）の特性を実現している。
【００２５】
なお、記録レーザの照射で発生する熱により、透明樹脂基板１０１、特に（Ｌ０またはＬ１の）グルーブ底部に変形を伴なうこともある。この場合、記録後の再生時におけるレーザ反射光に（熱変形を伴わない場合と比較して）位相差が生じることもある。しかし、この発明の実施の形態により記録マークの変形を抑制または防止すれば、この位相差発生の問題を抑制または回避できる。
【００２６】
この発明の一実施の形態において、透明樹脂基板１０１およびフォトポリマー（２Ｐ樹脂）１０４上に存在するＬ０層およびＬ１層に適用される物理フォーマットとしては、例えば以下のものがある。すなわち、追記型片面２層ディスクの一般パラメータは１層ディスクの一般パラメータとほとんど同じであるが、以下の点で異なる。ユーザが使用可能な記録容量は３０ＧＢであり、データ領域の内半径がレイヤー０（Ｌ０層）では２４．６ｍｍであり、レイヤー１（Ｌ１層）では２４．７ｍｍであり、データ領域の外半径が５８．１ｍｍ（レイヤー０、レイヤー１共通）である。
【００２７】
図１（ａ）の光ディスク１００において、システムリードイン領域ＳＬＡは、図１（ｃ）に例示されるようにコントロールデータセクションを含み、このコントロールデータセクションは、物理フォーマット情報等の一部として、記録パワー（ピークパワー）、バイアスパワー等の記録に関するパラメータを、Ｌ０およびＬ１それぞれに対して含んでいる。
【００２８】
また、光ディスク１００のデータ領域ＤＡ内のトラックには、図１（ｄ）に例示されるように、所定の記録パワー（ピークパワー）およびバイアスパワーを伴うレーザにより、マーク／スペース記録が行われる。このマーク／スペース記録により、図１（ｅ）に例示されるように、例えば高精細ＴＶ放送番組等のオブジェクトデータ（ＶＯＢ等）とその管理情報（ＶＭＧ）が、データ領域ＤＡ内の（Ｌ０および／またはＬ１の）トラック上に記録される。
【００２９】
この発明の一実施の形態において使用できる有機色素としては、シアニン色素、スチリル色素、アゾ色素等がある。特に、シアニン色素、スチリル色素は、記録波長に対する吸収率の制御がしやすく好適である。また、アゾ色素は、アゾ化合物単体で用いても良いし、アゾ化合物１分子またはそれ以上の分子と金属との錯体としても良い。
【００３０】
この発明の一実施の形態において使用できるアゾ金属錯体は、その中心金属Ｍとして、コバルト、ニッケル、あるいは銅を使用して光安定性を高めている。しかし、それに限らず、スカンジウム、イットリウム、チタン、ジルコニウム、ハフニウム、バナジウム、ニオブ、タンタル、クロム、モリブデン、タングステン、マンガン、テクネチウム、レニウム、鉄、ルテニウム、オスミウム、ロジウム、イリジウム、パラジウム、白金、銀、金、亜鉛、カドミウム、水銀などを、アゾ金属錯体の中心金属Ｍとして使っても良い。
【００３１】
アゾ化合物は芳香環を持っており、その芳香環の構造はもちろんのこと、芳香環に様々な置換基を持たせることで、記録特性や保存特性、再生安定性などを最適化することが可能となる。この置換基は、嵩高いほど再生光耐久性が向上する傾向にあるが、記録時の感度も悪くなる傾向にあるため、どちらの特性も良好となるような置換基の選択が重要となる。また、この置換基は、溶剤への溶解度にも関与している。
【００３２】
これまで（記録レーザ波長が６２０ｎｍより長いもの）の色素系情報記録媒体の記録メカニズムと異なり、本願発明が関係する短波長レーザ記録（記録波長が例えば４０５ｎｍ）ではその記録メカニズムが基板や色素膜体積の物理的変化でない。再生時、色素に記録時よりも弱いレーザを照射することによって、熱または光により記録層内の色素分子の配向変化、あるいは、色素分子内の立体配座の変化が徐々に生じてしまうが、色素分子内に嵩高い置換基が存在することにより、これらの変化を生じにくくする効果があると考えられる。これが、嵩高い置換基が再生光耐久性向上に寄与する理由である。
【００３３】
このときの嵩高い置換基とは、色素分子内芳香環に置換している炭素３つ以上からなる置換基を指し、例えば、n-プロピル基、イソプロピル基、n-ブチル基、1−メチルプロピル基、2−メチルプロピル基、n-ペンチル基、1−エチルプロピル基、1−メチルブチル基、2−メチルブチル基、3−メチルブチル基、1，1−ジメチルプロピル基、1，2−ジメチルプロピル基、2，2−ジメチルプロピル基、シクロペンチル基、n-ヘキシル基、1−メチルペンチル基、2−メチルペンチル基、3−メチルペンチル基、4−メチルペンチル基、1，1−ジメチルブチル基、1，2−ジメチルブチル基、1，3−ジメチルブチル基、2，2−ジメチルブチル基、2，3−ジメチルブチル基、3，3−ジメチルブチル基、1−エチルブチル基、2−エチルブチル基、シクロヘキシル基、フェニル基などがある。ここで、置換基の中には、酸素、硫黄、窒素、珪素、フッ素、臭素、塩素、ヨウ素など炭素以外の原子を含んでも良い。
【００３４】
図２は、記録層用有機材料の金属錯体部分の具体例を示す図である。図示するアゾ金属錯体の中心金属Ｍを中心とした円形の周辺領域が発色領域８となる。この発色領域８をレーザ光が通過すると、この発色領域８内の局在電子がレーザ光の電場変化に共鳴（共振）して、レーザ光のエネルギーを吸収する。この局在電子が最も共鳴（共振）してエネルギーを吸収し易い電場変化の周波数をレーザ光の波長に換算した値を最大吸収波長λｍａｘで表す。図示するような発色領域８（共鳴範囲）の長さが長くなる程、最大吸収波長λｍａｘが長波長側にシフトする。また、中心金属Ｍの原子を代える事で中心金属Ｍ周辺の局在電子の局在範囲（中心金属Ｍが局在電子をどれだけ中心付近に引き寄せられるか）が変化し、最大吸収波長λｍａｘの値が変化する。例えばλｍａｘが４０５ｎｍ付近になるものを選択すれば、波長４０５ｎｍに感度（光吸収）を持つ有機材料が得られることになる。
【００３５】
波長４０５ｎｍに光吸収を持つ記録層（例えばＬ０またはＬ１）用色素材料としては、図２に一般構造式を示した有機金属錯体部と図示しない色素材料部を組み合わせた構造を持つ有機色素材料を用いることができる。有機金属錯体の中心金属Ｍとしては、一般に、コバルトあるいはニッケル（その他スカンジウム、イットリウム、チタン、ジルコニウム、ハフニウム、バナジウム、ニオブ、タンタル、クロム、モリブデン、タングステン、マンガン、テクネチウム、レニウム、鉄、ルテニウム、オスミウム、ロジウム、イリジウム、パラジウム、白金、銅、銀、金、亜鉛、カドミウム、水銀など）を用いることができる。また、色素材料部分としては図示しないがシアニン色素、スチリル色素、モノメチンシアニン色素を用いることができる。
【００３６】
ここで、現行ＤＶＤ−Ｒディスクで解釈されている記録原理について説明しておく。現行ＤＶＤ−Ｒディスクでは記録膜にレーザ光７を照射すると、記録層３−２が局所的にレーザ光７のエネルギーを吸収して高熱になる。特定温度を越えると、透明基板２−２が局所的に変形する。透明基板２−２の変形を誘発するメカニズムはＤＶＤ−Ｒディスクの製造メーカーにより異なるが、
（１）記録層３−２の気化エネルギーによる局所的に透明基板２−２が塑性変形や
（２）記録層３−２から熱が透明基板２−２に伝わり、その熱により局所的に透明基板２−２が塑性変形
が原因と言われている。透明基板２−２が局所的に塑性変形すると、透明基板２−２を通過して光反射層４−２で反射し、再度透明基板２−２を通過して戻って来るレーザ光７の光学的距離が変化する。局所的に塑性変形した透明基板２−２の部分を通過して戻ってくる記録マーク内からのレーザ光７と、変形して無い透明基板２−２の部分を通過して戻ってくる記録マーク周辺部からのレーザ光７との間に位相差が生じるので、両者間の干渉により反射光の光量変化が生じる。また、特に、上記（１）のメカニズムが生じた場合には、記録層３−２の記録マーク内が気化（蒸発）により空洞化して生じる実質的な屈折率ｎ３２の変化、あるいは記録マーク内での有機色素記録材料の熱分解により生じる屈折率ｎ３２の変化も上記の位相差発生に寄与する。現行ＤＶＤ−Ｒディスクでは、透明基板２−２が局所的に変形するまで記録層３−２が高温（上記（１）のメカニズムでは記録層３−２の気化温度、（２）のメカニズムでは透明基板２−２を塑性変形させるために必要な記録層３−２内温度）になる必要や、記録層３−２の一部を熱分解または気化（蒸発）させるために高温にする必要が有り、記録マークを形成させるためにはレーザ光７の大きなパワーが必要となる。
【００３７】
記録マークを形成するには第１段階として記録層３−２がレーザ光７のエネルギーを吸収できる必要が有る。記録層３−２内の光吸収スペクトルが有機色素記録膜の記録感度に大きく影響を及ぼす。記録層３−２を形成する有機色素記録材料内での光の吸収原理を本実施形態の（Ａ３）を用いて説明する。
【００３８】
図２は上記した情報記憶媒体構成要素の具体的内容“（Ａ３）アゾ金属錯体＋Ｃｕ”の具体的な構造式を示している。図２に示したアゾ金属錯体の中心金属Ｍを中心とした円形の周辺領域が発色領域８となる。この発色領域８をレーザ光７が通過すると、この発色領域８内の局在電子がレーザ光７の電場変化に共鳴（共振）してレーザ光７のエネルギーを吸収する。この局在電子が最も共鳴（共振）してエネルギーを吸収し易い電場変化の周波数に対してレーザ光７の波長に換算した値を最大吸収波長と呼び、λｍａｘで表す。図２に示すような発色領域８（共鳴範囲）の長さが長くなる程、最大吸収波長λｍａｘが長波長側にシフトする。また、図２において中心金属Ｍの原子を代える事で中心金属Ｍ周辺の局在電子の局在範囲（中心金属Ｍが局在電子をどれだけ中心付近に引き寄せられるか）が変化し、最大吸収波長λｍａｘの値が変化する。
【００３９】
絶対零度でかつ純度が高く発色領域８が一箇所しか無い場合の有機色素記録材料の光吸収スペクトルは最大吸収波長λｍａｘ近傍で幅の狭い線スペクトルを描く事が予想されるが、常温で不純物を含み更に、複数の光吸収領域を含んだ一般的な有機色素記録材料の光吸収スペクトルは最大吸収波長λｍａｘを中心とした光の波長に対する幅の広い吸光特性を示している。現行ＤＶＤ−Ｒディスクに用いられている有機色素記録材料の光吸収スペクトルの一例を図５に示す。図５において有機色素記録材料を塗布して形成した有機色素記録膜に対して照射する光の波長を横軸に取り、それぞれの波長の光を有機色素記録膜に照射した時の吸光度を縦軸に取ってある。吸光度とは追記形情報記憶媒体として完成した状態（あるいは透明基板２−２上に記録層３−２が形成されたのみの状態（光反射層が形成される前の状態）に対して透明基板２−２側から入射強度Ｉｏのレーザ光を入射させ、反射したレーザ光強度Ｉｒ（記録層３−２側から透過したレーザ光の光強度Ｉｔ）を測定して得られる値で有る。吸光度Ａｒ（Ａｔ）は
Ａｒ≡−ｌｏｇ１０（Ｉｒ／Ｉｏ）                    （Ａ−１）
Ａｔ≡−ｌｏｇ１０（Ｉｔ／Ｉｏ）                    （Ａ−２）
で表される。今後特に断らない限り吸光度としては（Ａ−１）式で表させる反射形の吸光度Ａｒの事を示して説明を行うが、本実施形態においてはそれに限らず、（Ａ−２）式で表させる透過形の吸光度Ａｔとして考える事も出来る。図５に示した実施形態では発色領域８を含む光吸収領域が複数存在しているため、吸光度が極大になる位置が複数存在する。この場合には、吸光度が極大値を取る時の最大吸収波長λｍａｘが複数存在する。現行ＤＶＤ−Ｒディスクにおける記録用レーザ光の波長は６５０ｎｍになっている。本実施形態において最大吸収波長λｍａｘが複数存在した場合には、記録用レーザ光の波長に最も波長が近い最大吸収波長λｍａｘの値が重要になって来る。従って、本実施形態説明文中に限り、記録用レーザ光の波長に最も近い位置にある最大吸収波長λｍａｘの値を“λｍａｘ ｗｒｉｔｅ”と定義し、他のλｍａｘ（λｍａｘ ０）と区別する。
【００４０】
２−２）プリピット／プリグルーブ領域内での光反射層形状の違い…光反射層形状（スピンコートとスパッタ蒸着の違い）、再生信号に及ぼす影響
プリピット領域またはプリグルーブ領域１０での記録膜の形成形状比較を図６に示す。図６（ａ）は相変化記録膜に対する形状を示している。下地中間層５、記録層３−１、上側中間層６、光反射層４−１いずれの層を形成する場合にも真空中でスパッタ蒸着、真空蒸着またはイオンプレーティングのいずれかの方法を用いる。その結果、全ての層で透明基板２−１の凹凸形状を比較的忠実に複製する。例えば、透明基板２−１のプリピット領域またはプリグルーブ領域１０での断面形状が矩形または台形になっていた場合には、記録層３−１と光反射層４−１の断面形状も概略矩形または台形となる。
【００４１】
図６（ｂ）は有機色素記録膜を用いた場合の記録膜として従来技術である現行ＤＶＤ−Ｒディスクの一般的記録膜断面形状を示す。この場合の記録膜３−２の形成方法としては図６（ａ）とは異なりスピンコーティング（またはスピナーコーディング）と言う全く異なる方法を用いる。スピンコーティングとは記録層３−２を形成する有機色素記録材料を有機溶剤に溶かして透明基板２−２上に塗布した後、透明基板２−２を高速で回転させて遠心力で塗布剤を透明基板２−２の外周側へ広げ、有機溶剤を気化させる事で記録層３−２を形成する方法である。この方法を用いると有機溶剤の塗布工程を用いるため、記録層３−２表面（光反射層２−２との界面）が平坦になり易い。その結果、光反射層２−２と記録層３−２との間の界面での断面形状は透明基板２−２の表面（透明基板２−２と記録層３−２との界面）形状とは異なった形状となる。例えば、透明基板２−２の表面（透明基板２−２と記録層３−２との界面）の断面形状が矩形または台形となっているプリグルーブ領域では光反射層２−２と記録層３−２との間の界面での断面形状は概略Ｖ字形の溝形状に、プリピット領域では概略円錐の側面形状になる。更に、スピンコーティング時に有機溶剤が凹部に溜まり易いため、プリピット領域またはプリグルーブ領域１０内での記録層３−２の厚みＤｇ（図６（ｂ）に示すようにプリピット領域またはプリグルーブ領域１０の底面から光反射層２−２との界面の最も低くなった位置までの距離）がランド領域１２内での厚みＤｌよりも大幅に厚く（Ｄｇ＞Ｄｌと）なる。その結果、プリピット領域またはプリグルーブ領域１０での透明基板２−２と記録層３−２との界面の凹凸量が透明基板２−２と記録層３−２との界面での凹凸量より大幅に少なくなっている。
【００４２】
このように光反射層２−２と記録層３−２との間の界面での凹凸形状が鈍るとともに凹凸量も大幅に小さくなるため、記録膜形成方法の違いにより透明基板２表面（プリピット領域またはプリグルーブ領域１０）の凹凸形状と寸法が同じ場合には、レーザ光を照射した時の有機色素記録膜からの反射光の回折強度が相変化記録膜からの反射光の回折強度より大幅に劣化する。その結果、透明基板２表面（プリピット領域またはプリグルーブ領域１０）の凹凸形状と寸法が同じ場合には、従来の有機色素記録膜を用いた場合には相変化記録膜を用いた場合に比べて
（１）プリピット領域からの光再生信号の変調度が小さく、プリピット領域からの信号再生信頼性が悪い
（２）プリグルーブ領域からのプッシュプル法による充分大きなトラックずれ検出信号が得辛い
（３）プリグルーブ領域がウォブリング（蛇行）した場合の充分に大きなウォブル検出信号が得辛い
と言う特徴が有る。
【００４３】
また、ＤＶＤ−Ｒディスクではアドレス情報等の特定情報がランド領域１２に微少な凹凸（ピット）形状で記録されているため、プリピット領域またはプリグルーブ領域１０の幅Ｗｇよりもランド領域１２の幅Ｗｌが広く（Ｗｇ＞Ｗｌ）なっている。
【００４４】
第３章  本実施形態における有機色素記録膜の特徴説明
３−１）従来の有機色素材料を用いた追記記録膜（ＤＶＤ−Ｒ）での高密度化に対する問題点
“２−１）記録原理／記録膜構造の違いと再生信号生成に関する基本的な考え方の違い”で既に説明したように、従来の有機色素材料を用いた追記形情報記憶媒体である現行のＤＶＤ−ＲとＣＤ−Ｒの一般的な記録原理は“透明基板２−２の局所的な塑性変形”あるいは“記録層３−２内の局所的な熱分解や気化”を伴っている。従来の有機色素材料を用いた追記形情報記憶媒体における記録マーク９位置での具体的な透明基板２−２の塑性変形状況を図７に示す。代表的な塑性変形状況は２種類存在し、図７（ａ）に示すように記録マーク９位置でのプリグルーブ領域の底面１４の深さ（隣接するランド領域１２との間の段差量）が未記録領域でのプリグルーブ領域１１の底面の深さと異なる場合（図７（ａ）に示した例では記録マーク９位置でのプリグルーブ領域の底面１４の深さが未記録領域よりも浅くなっている）と、図７（ｂ）に示すように記録マーク９位置でのプリグルーブ領域の底面１４が歪み微少に湾曲する（底面１４の平坦性が崩れる：図７（ｂ）に示した例では記録マーク９位置でのプリグルーブ領域の底面１４が下側に向かって微少に湾曲している）場合が有る。いずれの場合でも記録マーク９位置での透明基板２−２の塑性変形範囲が広い領域に及ぶ特徴が有る。従来技術である現行のＤＶＤ−Ｒディスクではトラックピッチが０．７４μｍ、チャネルビット長が０．１３３μｍとなっている。この程度の大きな値の場合には記録マーク９位置での透明基板２−２の塑性変形範囲が広い領域に及んでも比較的安定な記録処理と再生処理が行える。
【００４５】
しかし。トラックピッチを上記の０．７４μｍより狭くしていくと、記録マーク９位置での透明基板２−２の塑性変形範囲が広い領域に及ぶために隣接トラックへの悪影響が現れ、隣接トラックまで記録マーク９が広がる“クロスライト”や多重書きにより既に存在している隣接トラックの記録マーク９を実質的に消してしまう（再生不能にする）“クロスイレーズ”の現象が発生する。また、トラックに沿った方向（円周方向）においてチャネルビット長を０．１３３μｍより狭くすると、符号間干渉が現れ、再生時のエラーレイトが大幅に増加して再生の信頼性が低下するという問題が発生する。
【００４６】
３−２）本実施形態における有機色素記録膜に共通する基本的特徴説明
３−２−Ａ〕本実施形態の技術の適用を必要とする範囲
図７に示すように透明基板２−２の塑性変形あるいは記録層３−２内の局所的な熱分解や気化現象を伴う従来の追記形情報記憶媒体（ＣＤ−ＲやＤＶＤ−Ｒ）においてどの程度トラックピッチを詰めると悪影響が現れるか、あるいはどの程度チャネルビット長を詰めると悪影響が現れるか、及びその理由について技術的な検討を行った結果を以下に説明する。従来の記録原理を利用した場合に悪影響が出始める範囲が本実施形態に示す新規の記録原理により効果を発揮する（高密度化に適した）範囲を示している。
【００４７】
（１）記録層３−２の厚みＤｇの条件
許容チャネルビット長の下限値や許容トラックピッチの下限値を理論的に割り出すために熱解析を行おうとすると、実質的に可能な記録層３−２の厚みＤｇの範囲が重要となる。図７に示すような透明基板２−２の塑性変形を伴う従来の追記形情報記憶媒体（ＣＤ−ＲやＤＶＤ−Ｒ）において、情報再生用集光スポットが記録マーク９内に有る場合と、記録層３−２の未記録領域内に有る場合の光反射量の変化は“記録マーク９内と未記録領域内での光学的距離の違いによる干渉効果”の要因が最も大きい。また、その光学的距離の違いは主に“透明基板２−２の塑性変形による物理的な記録層３−２の厚みＤｇ（透明基板２−２と記録層３−２の界面から記録層３−２と光反射層４−２の界面までの物理的な距離）の変化”と、“記録マーク９内での記録層３−２の屈折率ｎ３２の変化”が起因している。従って、記録マーク９内と未記録領域内との間で充分な再生信号（光反射量の変化）を得るためには、レーザ光の真空中の波長をλとした時、未記録領域での記録層３−２の厚みＤｇの値がλ／ｎ３２と比較して有る程度の大きさを持っている必要が有る。そうで無いと、記録マーク９内と未記録領域内との間での光学的距離の差（位相差）が現れず、光の干渉効果が薄くなる。実際には最低でも
Ｄｇ≧λ／８ｎ３２                                （１）
望ましくは
Ｄｇ≧λ／４ｎ３２                                （２）
の条件が必要となる。
【００４８】
取りあえず、現在の検討の時点ではλ＝４０５ｎｍ近傍を仮定する。４０５ｎｍにおける有機色素記録材料の屈折率ｎ３２の値は一般的に１．３〜２．０の範囲に有る。従って、記録層３−２の厚みＤｇの値としては（１）式にｎ３２＝２．０を代入する結果、
Ｄｇ≧２５ｎｍ                                    （３）
が必須の条件となる。なお、ここでは透明基板２−２の塑性変形を伴う従来の追記形情報記憶媒体（ＣＤ−ＲやＤＶＤ−Ｒ）の有機色素記録層を４０５ｎｍの光に対応させた時の条件について検討を行っている。後述するように本実施形態では透明基板２−２の塑性変形を起こさず、吸収係数ｋ３２の変化を記録原理の主要因として説明するが、記録マーク９からＤＰＤ（Differential Phase Detection）法を用いてトラックずれ検出をする必要が有るので、実際には記録マーク９内で屈折率ｎ３２の変化を起こしている。従って、（３）式の条件は透明基板２−２の塑性変形を起こさない本実施形態に於いても満たすべき条件となっている。
【００４９】
別の観点からも記録層３−２の厚みＤｇの範囲を指定できる。図６（ａ）に示した相変化記録膜の場合には透明基板の屈折率をｎ２１とした時、プッシュプル法を用いて最もトラックずれ検出信号が大きく出る時のプリピット領域とランド領域間の段差量はλ／（８ｎ２１）となる。しかし、図６（ｂ）に示した有機色素記録膜の場合には前述したように、記録層３−２と光反射層４−２の界面での形状が鈍り段差量も小さくなるので、透明基板２−２上でのプリピット領域とランド領域間の段差量はλ／（８ｎ２２）より大きくする必要が有る。透明基板２−２の材質として例えば、ポリカーボネートを用いた場合の４０５ｎｍでの屈折率はｎ２２≒１．６２なので、プリピット領域とランド領域間の段差量は３１ｎｍより大きくする必要が有る。スピンコーティング法を用いる場合、プリグルーブ領域内の記録層３−２の厚みＤｇを透明基板２−２上でのプリピット領域とランド領域間の段差量より大きくしないとランド領域１２での記録層３−２の厚みＤｌが無くなる危険性が有る。したがって上記の検討結果から
Ｄｇ≧３１ｎｍ                              （４）
と言う条件も満足する必要が有る。（４）式の条件も透明基板２−２の塑性変形を起こさない本実施形態に於いても満たすべき条件となっている。（３）式、（４）式で下限値の条件を示したが、熱解析に用いた記録層３−２の厚みＤｇとしては（２）式の等号部にｎ３２＝１．８を代入して得た値Ｄｇ≒６０ｎｍを利用した。
【００５０】
そして、透明基板２−２の材料として標準的に用いられているポリカーボネートを仮定し、透明基板２−２側の熱変形温度の見積もり値としてポリカーボネートのカラス転移温度である１５０℃を設定した。熱解析を用いた検討には４０５ｎｍにおける有機色素記録膜３−２の吸収係数の値としてｋ３２＝０．１〜０．２の値を想定した。さらに、集光用対物レンズのＮＡ値及び対物レンズ通過時の入射光強度分布を従来のＤＶＤ−Ｒフォーマットでの前提条件であるＮＡ＝０．６０及びＨフォーマット（ＮＡ＝０．６５）の場合を検討した。
【００５１】
（２）チャネルビット長の下限値条件
記録パワーを変化させた時の記録層３−２に接する透明基板２−２側の熱変形温度に達する領域のトラックに沿った方向での長さ変化を調べ、再生時のウィンドマージンも考慮した許容チャネルビット長さの下限値を検討した。その結果、チャネルビット長を１０５ｎｍより小さくするとわずかな記録パワーの変化に応じて透明基板２−２側の熱変形温度に達する領域のトラックに沿った方向での長さ変化が発生して充分なウィンドマージンが取れないと考えられる。熱解析の検討上ではＮＡの値として０．６０、０．６５、０．８５いずれの場合も類似した傾向を示している。ＮＡ値を変える事で集光スポットサイズは変化するが、熱の広がり範囲が広い（記録層３−２に接する透明基板２−２側の温度分布の勾配が比較的なだらか）のが原因と考えられる。上記熱解析では記録層３−２に接する透明基板２−２側の温度分布を検討しているため、記録層３−２の厚みＤｇの影響は現れない。
【００５２】
更に、図７に示す透明基板２−２の形状変化が生じた場合には基板変形領域の境界位置がぼやけている（曖昧）ため、より一層ウィンドマージンを低下させている。記録マーク９が形成されている領域の断面形状を電子顕微鏡で観察すると、基板変形領域の境界位置のぼけ量は記録層３−２の厚みＤｇの値が大きくなるほど広がると考えれる。上記記録パワー変化による熱変形領域長さの影響にこの基板変形領域の境界位置のぼけを考慮すると、充分なウィンドマージンが確保できるための許容されるチャネルビット長の下限値は記録層３−２の厚みＤｇの２倍程度が必要と考えられ、１２０ｎｍより大きい事が望ましい。
【００５３】
上記では透明基板２−２の熱変形が生じる場合の熱解析による検討に付いて主に説明した。従来の追記形情報記憶媒体（ＣＤ−ＲやＤＶＤ−Ｒ）での他の記録原理（記録マーク９の形成メカニズム）として透明基板２−２の塑性変形が非常にわずかで記録層３−２内での有機色素記録材料の熱分解や気化（蒸発）が中心の場合も存在するので、その場合についても付加説明する。有機色素記録材料の気化（蒸発）温度は有機色素材料により異なるが、一般的には２２０℃〜３７０℃の範囲内に有り、熱分解温度はそれより低い。上記検討では基板変形時の到達温度としてポリカーボネート樹脂のガラス転移温度１５０℃を前提としていたが、１５０℃と２２０℃との間の温度差は小さく、透明基板２−２が１５０℃に到達する時には記録層３−２内部では２２０℃を越えている。従って、有機色素記録材料による例外は有るが、透明基板２−２の塑性変形が非常にわずかで記録層３−２内での有機色素記録材料の熱分解や気化（蒸発）が中心の場合でも上記検討結果とほぼ同じ結果が得られている。
【００５４】
上記チャネルビット長に関する検討結果をまとめると透明基板２−２の塑性変形を伴う従来の追記形情報記憶媒体（ＣＤ−ＲやＤＶＤ−Ｒ）ではチャネルビット長を１２０ｎｍより狭くして行くとウィンドマージンの低下が発生し、更に、１０５ｎｍより小さいと安定な再生が難しくなると考えられる。すなわち、チャネルビットが１２０ｎｍ（１０５ｎｍ）より小さくなる時には本実施形態に示す新規記録原理を用いる事の効果が発揮される。
【００５５】
（３）トラックピッチの下限値条件
記録パワーで記録層３−２を露光すると、記録層３−２内でエネルギーを吸収して高温になる。従来の追記形情報記憶媒体（ＣＤ−ＲやＤＶＤ−Ｒ）では透明基板２−２側が熱変形温度に達するまで記録層３−２内でエネルギーを吸収させる必要が有る。記録層３−２内で有機色素記録材料の構造変化が起こり屈折率ｎ３２や吸収係数ｋ３２の値が変化を開始する温度は透明基板２−２が熱変形を開始するための到達温度より遙かに低い。従って、透明基板２−２側が熱変形している記録マーク９の周辺の記録層３−２内の比較的広い領域で屈折率ｎ３２や吸収係数ｋ３２の値が変化し、これが隣接トラックへの“クロスライト”や“クロスイレーズ”の原因と思われる。透明基板２−２側が熱変形温度を超えた時の記録層３−２内での屈折率ｎ３２や吸収係数ｋ３２を変化させる温度に到達する領域の広さで“クロスライト”や“クロスイレーズ”を起こさないトラックピッチの下限値を設定できる。上記の視点からトラックピッチが５００ｎｍ以下の所で“クロスライト”や“クロスイレーズ”が生じる考えられる。更に、情報記憶媒体の反りや傾きの影響や記録パワーの変化（記録パワーマージン）も考慮すると、透明基板２−２側が熱変形温度に達するまで記録層３−２内でエネルギーを吸収させる従来の追記形情報記憶媒体（ＣＤ−ＲやＤＶＤ−Ｒ）ではトラックピッチを６００ｎｍ以下にするのは難しいと結論できる。上述したようにＮＡ値を０．６０、０．６５、０．８５と変化させても、中心部で透明基板２−２側が熱変形温度に達した時の周囲の記録層３−２内での温度分布の勾配が比較的なだらかで熱の広がり範囲が広いためほぼ同様の傾向を示している。従来の追記形情報記憶媒体（ＣＤ−ＲやＤＶＤ−Ｒ）での他の記録原理（記録マーク９の形成メカニズム）として透明基板２−２の塑性変形が非常にわずかで記録層３−２内での有機色素記録材料の熱分解や気化（蒸発）が中心の場合でも、既に“(2)チャネルビット長の下限値条件”の所で説明したように“クロスライト”や“クロスイレーズ”が始まるトラックピッチの値はほぼ類似した結果が得られる。以上の理由からトラックピッチを６００ｎｍ（５００ｎｍ）以下にする時に本実施形態に示す新規記録原理を用いる事の効果が発揮される。
【００５６】
３−２−Ｂ〕本実施形態における有機色素記録材料に共通する基本的特徴
上述したように従来の追記形情報記憶媒体（ＣＤ−ＲやＤＶＤ−Ｒ）での記録原理（記録マーク９の形成メカニズム）として透明基板２−２の塑性変形を伴う場合や記録層３−２内で局所的に熱分解や気化（蒸発）が発生する場合には、記録マーク９の形成時に記録層３−２内部や透明基板２−２表面が高温に達するためにチャネルビット長やトラックピッチを狭くできないと言う問題が発生する。上記問題の解決策として本実施形態では基板変形や記録層３−２内での気化（蒸発）を起こす事無く
『比較的低温で発生する記録層３−２内での局所的な光学特性変化を記録原理とする』
“有機色素材料の発明”と上記記録原理が生じ易い“環境（記録膜構造や形状）の設定”を行った所に大きな特徴が有る。本実施形態の具体的な特徴として以下の内容を上げることができる。
【００５７】
α〕記録層３−２内部の光学特性変化方法として
・発色特性変化
…  発色領域８（図２）の質的変化による光吸収断面積の変化やモル分子吸光係数の変化
発色領域８が部分的に破壊されたり、発色領域８のサイズが変わる事により実質的な光吸収断面積が変化する事で光吸収スペクトル（図５）プロファイル（特性）自体は保存されたままλｍａｘ ｗｒｉｔｅ位置での振幅（吸光度）が記録マーク９内で変化する
・発色現象に寄与する電子に対する電子構造（電子軌道）の変化
…  局所的な電子軌道の切断（局所的な分子結合の解離）による脱色作用や発色領域８（図２）の寸法や構造の変化に基付く光吸収スペクトル（図５）変化
・分子内（または分子間）の配向や配列の変化
…  例えば、図２に示したアゾ金属錯体内部の配向変化に基付く光学特性変化
・分子内部での分子構造変化
…  例えば、アニオン部とカチオン部との間の結合解離や、アニオン部またはカチオン部のどちらか一方の熱分解、あるいは分子構造自体が破壊され、炭素原子が析出するタール化（黒色のコールタールに変質する）のいずれかを起こす有機色素材料を考案する。その結果、記録マーク９内の屈折率ｎ３２や吸収係数ｋ３２を未記録領域に対して変化させて光学的再生を可能にする。
【００５８】
β〕上記〔α〕の光学特性変化を安定に起こし易い記録膜構造や形状の設定を行う
…  この技術に関する具体的内容については“３−２−Ｃ〕本実施形態に示した記録原理を発生させ易い理想的な記録膜構造”以降で詳細に説明する。
【００５９】
γ〕記録層内や透明基板表面が比較的低温の状態で記録マークを形成させるために記録パワーを下げる
…  上記〔α〕で示す光学特性変化は透明基板２−２の変形温度や記録層３−２内での気化（蒸発）温度より低い温度で生じる。そのため、記録時の露光量（記録パワー）を低くして透明基板２−２表面で変形温度を越えたり記録層３−２内で気化（蒸発）温度を越えるのを防止する。この内容については“３−３）本実施形態における有機色素記録膜に共通する記録特性”で詳細に後述する。また、逆に記録時の最適パワーの値を調べる事で上記〔α〕で示す光学特性変化が起きているかの判定も可能となる。
【００６０】
δ〕発色領域での電子構造を安定化させ、紫外線や再生光照射に対する構造分解が生じ辛くする
…  記録層３−２に対して紫外線を照射したり、再生時に再生光を記録層３−２に照射すると記録層３−２内の温度上昇が起きる。その温度上昇に対する特性劣化を防止すると共に、基板変形温度や記録層３−２内での気化（蒸発）温度より低い温度で記録すると言う温度特性上は一見矛盾する性能が要求される。本実施形態では“発色領域での電子構造を安定化”させる事で上記の一見矛盾する性能を確保する。この具体的技術内容については“第４章  本実施形態における有機色素記録膜の具体的実施形態説明”の所で説明を行う。
【００６１】
ε〕紫外線や再生光照射による再生信号劣化が万一発生した場合に備えて再生情報の信頼性を向上させる
…  本実施形態では“発色領域での電子構造を安定化”させるための技術的工夫を行っているが、透明基板２−２表面の塑性変形や気化（蒸発）により生じた記録層３−２内の局所的な空洞から比べると本実施形態に示した記録原理で形成される記録マーク９の信頼性は原理的に低下すると言わざるを得ない。その対策として本実施形態では“第７章  Ｈフォーマットの説明”と“第８章  Ｂフォーマットの説明”で後述するように強力なエラー訂正能力（新規なＥＣＣブロック構造）との組み合わせにより高密度化と記録情報の信頼性確保を同時に達成する効果を発揮する。更に、本実施形態では“４−２）本実施形態での再生回路の説明”で説明するように再生方法としてＰＲＭＬ（Pertial Response Maximum Likelyhood）法を採用し、ＭＬ復調時のエラー訂正技術と組み合わせる事でより一層の高密度化と記録情報の信頼性確保を同時に達成している。
【００６２】
５−２）本実施形態の“Ｌ→Ｈ”記録膜に関する光吸収スペクトルの特徴…最大吸収波長λｍａｘ ｗｒｉｔｅの値、Ａｌ４０５の値とＡｈ４０５の値の設定条件
“３−４）本実施形態における“Ｈ→Ｌ”記録膜に関する特徴説明”で説明したように“Ｈ→Ｌ”記録膜では未記録領域での相対的な吸光度が基本的に低いため、再生時に再生光を照射された時にその再生光のエネルギーを吸収して生じる光学特性変化が起こりにくい。仮に吸光度が高い記録マーク内で再生光のエネルギーを吸収して光学特性変化（記録作用の更新）が生じたとしても記録マーク内からの光反射率が下がる一方なので、再生信号の振幅（Ｉ１１≡Ｉ１１Ｈ−Ｉ１１Ｌ）が増加する方向に働き、再生信号処理への悪影響は少ない。
【００６３】
それに比べて、“Ｌ→Ｈ”記録膜は“未記録部の光反射率が記録マーク内より低い”と言う光学的特性を持つ。この事は、記録マーク内より未記録部の吸光度が高い事を意味している。そのため、“Ｌ→Ｈ”記録膜は“Ｈ→Ｌ”記録膜に比べると再生時の信号劣化が起こり易い。“３−２−Ｂ〕本実施形態における有機色素記録材料に共通する基本的特徴”内で説明したように、“ε〕紫外線や再生光照射による再生信号劣化が万一発生した場合に備えて再生情報の信頼性を向上させる”必要が有る。
【００６４】
有機色素記録材料の特性を詳細に調べた結果、再生光のエネルギーを吸収して光学特性変化を起こすメカニズムと紫外線照射による光学特性変化のメカニズムがほぼ類似している事が分かった。その結果、未記録領域での紫外線照射に対する耐久性を向上させる構造を持たせると再生時の信号劣化が起き辛くなる。そのため、“Ｌ→Ｈ”記録膜ではλｍａｘ ｗｒｉｔｅ（記録光の波長に最も近い極大吸収波長）の値を記録光または再生光の波長（４０５ｎｍ近傍）よりも長くした所に本実施形態の大きな特徴がある。これにより紫外線に対する吸収率を低くでき、紫外線照射に対する耐久性を大幅に向上できる。図９から分かるように、λｍａｘ ｗｒｉｔｅ近傍での既記録部と未記録部間での吸光度の違いが小さく、λｍａｘ ｗｒｉｔｅ近傍の波長光で再生した場合の再生信号変調度（信号振幅）が小さくなる。半導体レーザ光源の波長変動も視野に入れると、３５５ｎｍ〜４５５ｎｍの範囲では充分に大きな再生信号変調度（信号振幅）を取れる事が望ましい。従って、本実施形態においてλｍａｘ ｗｒｉｔｅの波長は３５５ｎｍ〜４５５ｎｍの範囲外（すなわち、４５５ｎｍよりも長波長側）に存在するように記録膜３−２の設計を行っている。
【００６５】
本実施形態での“Ｌ→Ｈ”記録膜における光吸収スペクトルの一例を図８に示す。“５−１）本実施形態における“Ｌ→Ｈ”記録膜に関する特徴説明”で説明したように、仮に本実施形態において“Ｌ→Ｈ”記録膜の非記録部（“Ｌ”部）の光反射率の下限値βを１８％、上限値γを３２％に設定してみると、１−０．３２＝０．６８より上記条件を満足するためには４０５ｎｍにおける未記録領域での吸光度の値Ａｌ４０５として
Ａｌ４０５≧６８％      （３６）
を満足すべきなのが直感的に理解できる。光反射層４−２の４０５ｎｍにおける光反射率は１００％より若干低下するが、説明の簡略化のためほぼ１００％に近いと仮定する。従って、吸光度Ａｌ＝０の時の光反射率はほぼ１００％になる。図８においてλｍａｘ ｗｒｉｔｅの波長での記録膜全体としての光反射率をＲλｍａｘ ｗｒｉｔｅで表す。この時の光反射率がゼロ（Ｒλｍａｘ ｗｒｉｔｅ≒０）と仮定して（３６）式を導いているが、実際には“０”とはならないので、より厳密な式を導く必要が有る。“Ｌ→Ｈ”記録膜の非記録部（“Ｌ”部）の光反射率の上限値γを３２％に設定する厳密な条件式は
１−Ａｌ４０５×（１−Ｒλｍａｘ ｗｒｉｔｅ）≦０．３２      （３７）
で与えられる。従来の追記形情報記憶媒体は全て“Ｈ→Ｌ”記録膜を使用しており、“Ｌ→Ｈ”記録膜に関する情報の蓄積が無いが、“５−３）アニオン部：アゾ金属錯体＋カチオン部：色素”で後述する本実施形態を使用した場合には（３７）式を満たす最も厳しい条件として
Ａｌ４０５≧８０％      （３８）
となる。上記実施形態で後述する有機色素記録材料を使用した場合には、製造時の特性ばらつきや記録層３−２の厚み変化などのマージンも含めて記録膜の光学設計を行うと“５−１）本実施形態における“Ｌ→Ｈ”記録膜に関する特徴説明”で説明した反射率を満足する最低限の条件としては
Ａｌ４０５≧４０％      （３９）
を満足すれば良い事が分かった。さらに
Ａｌ３５５≧４０％      （４０）
Ａｌ４５５≧４０％      （４１）
のいずれかを満足する事で３５５ｎｍから４０５ｎｍの範囲あるいは４０５ｎｍから４５５ｎｍの範囲（両方の式が同時に満足する場合には３５５ｎｍから４５５ｎｍの範囲）で光源の波長が変化しても安定な記録特性または再生特性を確保できる。
【００６６】
本実施形態の“Ｌ→Ｈ”記録膜における記録後の光吸収スペクトル変化状況を図９に示す。記録マーク内での最大吸収波長λｌｍａｘの値がλｍａｘ ｗｒｉｔｅの波長からずれており、分子間の配列変化（例えば、アゾ金属錯体同士の配列変化）が生じていると考えられる。更に、λｌｍａｘの所での吸光度と４０５ｎｍでの吸光度Ａｌ４０５のいずれもが低下していると共に光吸収スペクトルの広がり自体が広がっている所から平行して脱色作用（局所的な電子軌道の切断（局所的な分子結合の解離））が起きていると考えられる。
【００６７】
本実施形態の“Ｌ→Ｈ”記録膜においても（２０）、（２１）、（２２）、（２３）の各式を満足させる事で“Ｌ→Ｈ”記録膜と“Ｈ→Ｌ”記録膜どちらに対しても同一の信号処理回路を使えるようにして信号処理回路の簡素化と低価格化を図っている。（２０）式において
Ｉ１１／Ｉ１１Ｈ≡（Ｉ１１Ｈ−Ｉ１１Ｌ）／Ｉ１１Ｈ≧０．４      （４２）
を変形すると
Ｉ１１Ｈ≧／Ｉ１１Ｌ／０．６      （４３）
となる。既に説明したように本実施形態において“Ｌ→Ｈ”記録膜の未記録部（“Ｌ”部）の光反射率の下限値βを１８％に設定しており、この値がＩ１１Ｌに対応する。更に、概念的に
Ｉ１１Ｈ≒１−Ａｈ４０５×（１−Ｒλｍａｘ ｗｒｉｔｅ）      （４４）
と対応するので、（４３）式と（４４）式から
１−Ａｈ４０５×（１−Ｒλｍａｘ ｗｒｉｔｅ）≧０．１８／０．６  （４５）
となる。１−Ｒλｍａｘ ｗｒｉｔｅ≒０の時は（４５）式は
Ａｈ４０５≦０．７      （４６）
で得られる。上記（４６）式と（３６）式を比較すると吸光度の値として６８％〜７０％近傍を境にＡｌ４０５とＡｈ４０５の値を設定すれば良さそうな事が分かる。更に、Ａｌ４０５の値として（３９）式の範囲になる場合と、信号処理回路の性能安定性を考えると、厳しい条件として
Ａｈ４０５≦０．４      （４７）
がある。なお、可能で有れば
Ａｈ４０５≦０．３      （４８）
を満足する事が望ましい。
【００６８】
この発明の一実施の形態に係る追記型２層光ディスク１００の評価ディスクは、次のようにして作製できる。すなわち、透明樹脂基板１０１上に、有機色素の１．２ｗｔ％ＴＦＰ溶液をスピンコートにより塗布してＬ０記録層１０５を形成する。塗布後の色素のグルーブ底からの厚みは６０ｎｍとする。この色素塗布基板にＡｇ合金の反射膜１０６をスパッタリングにより２５ｎｍ積層し、２Ｐ（photo polymer）樹脂の中間層１０４を２５μｍの厚さにスピンコートする。ここで、別に作製したポリカーボネートスタンパを貼り合わせて溝形状を転写させてからスタンパを剥がす。このようにして形成された２Ｐ樹脂の中間層１０４上に有機色素の１．２ｗｔ％ＴＦＰ溶液をスピンコートにより塗布してＬ１記録層１０７を形成する。その上に、Ａｇ合金の反射膜１０８をスパッタリングにより１００ｎｍ積層する。その上に、ＵＶ硬化樹脂１０３を用いて０．５９ｍｍ厚の透明樹脂基板１０２を貼り合わせる。
【００６９】
以上のようにして作製した情報記録媒体（片面２層Ｒの評価ディスク）を用いて再生信号の評価実験を行った。評価に用いた装置は、パルステック社製の光ディスク評価装置ＯＤＵ−１０００であり、この装置のレーザの波長は４０５ｎｍ、ＮＡは０．６５である。記録及び再生時の線速度は６．６１ｍ／ｓとした。記録信号は８−１２変調されたランダムデータであり、図３４に示すような、一定の記録パワー（ピークパワー）と２種類のバイアスパワー１，２を含むレーザ波形を用いて情報の記録を行った。その際の記録条件を、以下に述べる。
【００７０】
・記録条件（ライトストラテジ：Write Strategyの情報）の説明
最適な記録パワーを調べる時に使用する記録波形（記録時の露光条件）について図３４を用いて説明する。記録時の露光レベルとして記録パワー（ピークパワー：Peak power）、バイアスパワー１（Bias power １）、バイアスパワー２（Bias power ２）、バイアスパワー３（Bias power ３）の４レベルを持ち、長さの長い（４Ｔ以上の）記録マーク９形成時には記録パワー（ピークパワー：Peak power）とバイアスパワー３（Bias power ３）の間でマルチパルスの形で変調される。この実施の形態では“Ｈフォーマット”、“Ｂフォーマット”いずれの方式もチャネルビット長Ｔに対する最小マーク長は２Ｔとなっている。この２Ｔの最小マークを記録する場合には、図３４に示すように、バイアスパワー１（Bias power １）の後で記録パワー（ピークパワー：Peak power）レベルの１個のライトパルスを使用し、ライトパルスの直後は一度バイアスパワー２（Bias power ２）になる。３Ｔの長さの記録マーク９を記録する場合には、バイアスパワー１（Bias power １）の後に来る記録パワー（ピークパワー：Peak power）レベルのファーストパルスとラストパルスの２個のライトパルスを露光した後、一旦バイアスパワー２（Bias power ２）になる。４Ｔ以上の長さの記録マーク９を記録する場合には、マルチパルスとラストパルスで露光した後、バイアスパワー２（Bias power ２）になる。
【００７１】
図３４における縦の破線はチャネルクロック周期（Ｔ）を示す。２Ｔの最小マークを記録する場合にはクロックエッジからＴＳＦＰ遅れた位置から立ち上がり、その１クロック後のエッジからＴＥＬＰ後ろの位置で立ち下がる。その直後のバイアスパワー２（Bias power ２）になる期間をＴＬＣと定義する。ＴＳＦＰとＴＥＬＰ及びＴＬＣの値は、Ｈフォーマットの場合には制御データゾーンＣＤＺ内の物理フォーマット情報ＰＦＩ内に記録されている。
【００７２】
３Ｔ以上の長い記録マーク形成時の場合には、クロックエッジからＴＳＦＰ遅れた位置から立ち上がり、最後にラストパルスで終わる。ラストパルスの直後はＴＬＣの期間バイアスパワー２（Bias power ２）になるが、ラストパルスの立ち上がり／立ち下がりタイミングのクロックエッジからのずれ時間をＴＳＬＰ，ＴＥＬＰで定義する。また、先頭パルスの立ち下がりタイミングのクロックエッジから測った時間をＴＥＦＰで、さらに１個のマルチパルスの間隔をＴＭＰで定義する。
【００７３】
ＴＥＬＰ−ＴＳＦＰ、ＴＭＰ、ＴＥＬＰ−ＴＳＬＰ、ＴＬＣの各間隔は、最大値に対する半値幅で定義する。また、この実施の形態では、上記パラメーターの設定範囲を
０．２５Ｔ≦ＴＳＦＰ≦１．５０Ｔ      （eq.01）
０．００Ｔ≦ＴＥＬＰ≦１．００Ｔ      （eq.02）
１．００Ｔ≦ＴＥＦＰ≦１．７５Ｔ      （eq.03）
−０．１０Ｔ≦ＴＳＬＰ≦１．００Ｔ      （eq.04）
０．００Ｔ≦ＴＬＣ  ≦１．００Ｔ      （eq.05）
０．１５Ｔ≦ＴＭＰ  ≦０．７５Ｔ      （eq.06）
とする。
【００７４】
さらに、この実施の形態では、記録マークの長さ（Mark length）とその直前／直後のスペース長（Leading/Trailing space length）に応じて、上記各パラメーターの値を変化できるようにしている。
【００７５】
この実施の形態に示した記録原理で記録される追記形情報記録媒体の最適な記録パワーを調べた時の各パラメーターは、バイアスパワー１（Bias power １）、バイアスパワー２（Bias power ２）、バイアスパワー３（Bias power ３）の値はそれぞれ２．６ｍＷ、１．７ｍＷ、１．７ｍＷであり、再生パワーは０．４ｍＷである。
【００７６】
以上のようにして割り出した各パラメーターの値等に基づき、「ドライブテストゾーンにおいて試し書きを行った装置（ドライブ）でその記憶媒体に対して最適な記録条件（ライトストラテジ：Write Strategyの情報）」を定めることができる。
【００７７】
また、記録信号のデータとしては、上記の他に１１Ｔマーク１１Ｔスペースの繰り返しパターンも用いた。以下の実施例で用いた透明樹脂基板１０１およびフォトポリマー樹脂１０４上の記録層（Ｌ０、Ｌ１）に存在する物理フォーマットは、図２６〜図３４を参照して説明した通りである。
【００７８】
＜実施例１＞
色素として、図４の化学式で示されるものを用いた光ディスク１００を作製し、ランダムデータの情報記録を行った。Ｌ０層のエラーレートＳｂＥＲを測定すると、5.4e-6と、（実用レベルよりは高いハードルの）目標値である5.0e-5より充分小さく良好な値を得ることができた。また、１１Ｔマーク１１Ｔスペースの繰り返しパターンを記録し、再生したところ波形の歪みはほとんど観測されず、（１１Ｔスペースを再生したときの）スペースレベルであるI11Lの最大値と最小値の差（［I11Lmax-I11Lmin］／I11min）は２％であった。ここで、１１Ｔのマーク長は１．１２μｍであり、１．２＊Ｎａ／λは０．７４μｍとなっており、充分長いマークとなっていた。この色素について、記録前・記録後のＩＲ、ＭＳ、ＮＭＲそれぞれの分析を行ったが、違いは見られなかった。
【００７９】
＜比較例＞
色素として、図３の化学式で示されるものを用いた情報記録媒体を作製し、情報記録を行った。Ｌ０層のエラーレートＳｂＥＲを測定すると、6.3e-4と、目標値である5.0e-5より大きく、ドライブでの情報の読み取りが困難となり得る値であった。このとき、１１Ｔマーク１１Ｔスペースの繰り返しパターンを記録し、再生したところ波形歪みが大きく、スペースレベルであるI11Lの最大値と最小値の差（［I11Lmax-I11Lmin］／I11min）は１４％であった。
【００８０】
以上の結果と図２３の「スペースからの再生信号レベルの変化量とエラーレートとの関係」から、I11Lの最大値と最小値の差（［I11Lmax-I11Lmin］／I11min）が１０％以下になるような色素材料の選択を、この発明を実施するに当たっての指標とすることができる。
【００８１】
＜実施例２＞
図１０は、書替え形情報記憶媒体上に記録される書替え可能データのデータ記録方法を示す図である。図１０に示すように、本実施形態では１ＥＣＣブロックデータ４１２の前後にガード領域４４２、４４３の一部を付加して１個のデータセグメント４９０を構成し、１個以上（ｎ個）のデータセグメントに拡張ガードフィールド２５８、２５９を付加して追記もしくは書き換え単位のレコーディングクラスタ５４０、５４２を構成する。記録位置管理データＲＭＤを記録する場合には１個のデータセグメント（１個のＥＣＣブロック）のみを含むレコーディングクラスタ５４０、５４２として記録位置管理ゾーンＲＭＺ内に順次追記する。図示しないが、１個のデータセグメント５３１を記録する場所の長さは７個の物理セグメント５５０〜５５６から構成される１個の物理セグメントブロックの長さに一致している。
【００８２】
図１１は、書替え形情報記憶媒体上に記録される書替え可能データのデータランダムシフト説明図である。図１１に示すように物理セグメントの先頭位置から２４ウォブル以降に次のＶＦＯ領域５２２と拡張ガードフィールド５２８の重なり部分が来る。図示しないが、物理セグメント５５０の先頭から１６ウォブルまではウォブルシンク領域５８０となるが、それ以降６８ウォブル分は無変調領域５９０内になる。したがって、２４ウォブル以降の次のＶＦＯ領域５２２と拡張ガードフィールド５２８が重なる部分は無変調領域５９０内となる。このように物理セグメントの先頭位置２４ウォブル以降にデータセグメントの先頭位置が来るようにすることにより、重複箇所が無変調領域５９０内になるだけでなくウォブルシンク領域５８０の検出時間と記録処理の準備時間が相応に取れるので、安定でかつ精度の良い記録処理を保証できる。
【００８３】
本実施形態における書替え形情報記憶媒体の記録膜は相変化形記録膜を用いている。相変化形記録膜では書き替え開始／終了位置近傍で記録膜の劣化が始まるので、同じ位置での記録開始／記録終了を繰り返すと記録膜の劣化による書き替え回数の制限が発生する。本実施形態では上記問題を軽減するため、書き替え時には図１１に示すように（Ｊm+1／１２）データバイト分ずらし、ランダムに記録開始位置をずらしている。
【００８４】
図１０の（ｃ），（ｄ）では基本概念を説明するため、拡張ガードフィールド５２８の先頭位置とＶＦＯ領域５２２の先頭位置が一致しているが、本実施形態では厳密に言うと図１１のようにＶＦＯ領域５２２の先頭位置がランダムにずれている。
【００８５】
現行の書替え形情報記憶媒体であるＤＶＤ-ＲＡＭデイスクでも記録膜として相変化形記録膜を使用し、書替え回数向上のためにランダムに記録開始／終了位置をずらしている。現行のＤＶＤ-ＲＡＭディスクでのランダムなずらしを行った時の最大ずらし量範囲は８データバイトに設定してある。現行のＤＶＤ-ＲＡＭディスクでの（ディスクに記録される変調後のデータとして）チャネルビット長は平均０.１４３μｍに設定されている。本実施形態の書替え形情報記憶媒体実施形態ではチャネルビットの平均長さは
（０.０８７＋０.０９３）÷２＝０.０９０μｍ              （６）
となる。物理的なずらし範囲の長さを現行のＤＶＤ-ＲＡＭディスクに合わせた場合には、本実施形態でのランダムなずらし範囲として最低限必要な長さは上記の値を利用して
８バイト×（０.１４３μｍ÷０.０９０μｍ）＝１２.７バイト  （７）
となる。本実施形態では再生信号検出処理の容易性を確保するため、ランダムなずらし量の単位を変調後の“チャネルビット”に合わせた。本実施形態では変調に８ビットを１２ビットに変換するＥＴＭ変調（Eight to Twelve modulation）を用いているので、ランダムなずらし量を表す数式表現としてデータバイトを基準として
Ｊｍ／１２  データバイト                            （８）
で表す。Ｊｍの取り得る値としては（７）式の値を用いて
１２.７×１２＝１５２.４                          （９）
なので、Ｊｍは０から１５２となる。以上の理由から（９）式を満足する範囲で有ればランダムなずらしの範囲長さは現行ＤＶＤ-ＲＡＭディスクと一致し、現行ＤＶＤ-ＲＡＭディスクと同様な書き替え回数を保証できる。本実施形態では現行以上の書き替え回数を確保するため（７）式の値に対してわずかにマージンを持たせ、
ランダムなずらし範囲の長さを１４データバイト      （１０）
に設定した。（１０）式の値を（８）式に代入すると、１４×１２＝１６８なので
Ｊｍの取り得る値は０〜１６７                        （１１）
と設定した。上記のようにランダムシフト量をＪm／１２（０≦Ｊm≦１５４）より大きな範囲とすることにより、（９）式を満足し、ランダムシフト量に対する物理的な範囲の長さが現行ＤＶＤ-ＲＡＭと一致するため、現行ＤＶＤ-ＲＡＭと同様な繰り返し記録回数を保証できると言う効果がある。
【００８６】
図１０において記録用クラスタ５４０内でのバッファ領域５４７とＶＦＯ領域５３２の長さは一定となっている。同一の記録用クラスタ５４０内では全てのデータセグメント５２９、５３０のランダムずらし量Ｊｍは至る所同じ値になっている。内部に多量のデータセグメントを含む１個の記録用クラスタ５４０を連続して記録する場合には、記録位置をウォブルからモニターしている。すなわち、ウォブルシンク領域５８０の位置検出をしたり、無変調領域５９０、５９１内ではウォブルの数を数えながら情報記憶媒体上の記録位置の確認を記録と同時に行う。この時にウォブルのカウントミスや情報記憶媒体を回転させている回転モータ（例えば図示しないスピンドルモータ）の回転ムラによりウォブルスリップ（１ウォブル周期分ずれた位置に記録する事）が生じ、情報記憶媒体上の記録位置がずれる事が希にある。本実施形態の情報記憶媒体では、上記のように生じた記録位置ずれが検出された場合には、図１０の書替え形のガード領域４６１内、あるいは図示しない追記形ガード領域４５２で調整を行い、記録タイミングの修正を行う所に特徴がある。図１０においてポストアンブル領域５４６、エキストラ領域５４４、プリシンク領域５３３ではビット欠落やビット重複が許容できない重要な情報が記録されるが、バッファ領域５４７、ＶＦＯ領域５３２では特定パターンの繰り返しになっているため、この繰り返し境界位置を確保している限りでは１パターンのみの欠落や重複が許容される。したがって、本実施形態ではガード領域４６１の中で特にバッファ領域５４７またはＶＦＯ領域５３２で調整を行い、記録タイミングの修正を行う。
【００８７】
図１１に示すように本実施形態では位置設定の基準となる実際のスタートポイント位置はウォブル振幅“０”の（ウォブルの中心）位置と一致するように設定される。しかし、ウォブルの位置検出精度は低いので本実施形態では図１１内の“±１ max ”と記載されているように、実際のスタートポイント位置は最大
±１データバイト”までのずれ量                        （１２）
を許容している。
【００８８】
図１０および図１１においてデータセグメント５３０でのランダムシフト量をＪｍとし（上述したように記録用クラスタ５４０内は全てのデータセグメント５２９のランダムシフト量は一致する）、その後に追記するデータセグメント５３１のランダムシフト量をＪm+1とする。（１１）式に示すＪｍとＪm+1の取り得る値として例えば中間値を取り、Ｊｍ＝Ｊm+1＝８４であり、実際のスタートポイントの位置精度が充分高い場合には、図１０に示すように拡張ガードフィールド５２８の開始位置とＶＦＯ領域５２２の開始位置が一致する。
【００８９】
これに対してデータセグメント５３０が最大限後位置に記録され、後で追記または書き替えられるデータセグメント５３１が最大限前位置に記録された場合には（１０）式に明示した値と（１２）式の値からＶＦＯ領域５２２の先頭位置がバッファ領域５３７内へ最大１５データバイトまで入り込む事がある。バッファ領域５３７の直前のエキストラ領域５３４には特定の重要情報が記録されている。したがって、本実施形態において
バッファ領域５３７の長さは１５データバイト以上          （１３）
必要となる。図１０に示した実施形態では１データバイトの余裕を加味し、バッファ領域５３７のデータサイズを１６データバイトに設定している。
【００９０】
ランダムシフトの結果、拡張ガード領域５２８とＶＦＯ領域５２２の間に隙間が生じると、片面２記録層構造を採用した場合に、その隙間による再生時の層間クロストークが発生する。そのため、ランダムシフトを行っても必ず拡張ガードフィールド５２８とＶＦＯ領域５２２の一部が重なり、隙間が発生しない工夫がされている。したがって、本実施形態において（１３）式の同様な理由から拡張ガードフィールド５２８の長さは１５データバイト以上に設定する必要がある。後続するＶＦＯ領域５２２は７１データバイトと充分に長く取ってあるので、拡張ガードフィールド５２８とＶＦＯ領域５２２の重なり領域が多少広くなっても信号再生時には支障が無い（重ならないＶＦＯ領域５２２で再生用基準クロックの同期を取る時間が充分確保されるため）。したがって、拡張ガードフィールド５２８は１５データバイトよりもより大きな値に設定する事が可能である。連続記録時に希にウォブルスリップが発生し、１ウォブル周期分記録位置がずれる場合がある事を既に説明した。（５）式に示すように１ウォブル周期は７.７５（約８）データバイトに相当するので（１３）式にこの値も考慮して本実施形態では
拡張ガードフィールド５２８の長さを（１５＋８＝）２３データバイト以上
（１４）
に設定している。図１０に示した実施形態ではバッファ領域５３７と同様に１データバイトの余裕を加味し、拡張ガードフィールド５２８の長さを２４データバイトに設定している。
【００９１】
図１０の（ｅ）において記録用クラスタ５４１の記録開始位置を正確に設定する必要がある。本実施形態の情報記録再生装置では書替え形または追記形情報記憶媒体に予め記録されたウォブル信号を用いてこの記録開始位置を検出する。ウォブルシンク領域５８０以外は全て４ウォブル単位でパターンがＮＰＷからＩＰＷに変化している。それに比べてウォブルシンク領域５８０ではウォブルの切り替わり単位が部分的に４ウォブルからずれているため、ウォブルシンク領域５８０が最も位置検出し易い。そのため、本実施形態の情報記録再生装置ではウォブルシンク領域５８０位置を検出後、記録処理の準備を行い、記録を開始する。そのためレコーディングクラスタ５４１の開始位置はウォブルシンク領域５８０の直後の無変調領域５９０の中に来る必要がある。図１１ではその内容を示している。物理セグメント（Physical segment）の切り替わり直後にウォブルシンク領域５８０が配置されている。ウォブルシンク領域５８０の長さは１６ウォブル周期分になっている。そのウォブルシンク領域５８０を検出後、記録処理の準備にマージンを見越して８ウォブル周期分必要となる。したがって、図１１に示すようにレコーディングクラスタ５４１の先頭位置に存在するＶＦＯ領域５２２の先頭位置がランダムシフトを考慮していも物理セグメントの切り替わり目位置から２４ウォブル以上後方に配置される必要がある。
【００９２】
図１０に示すように書替え時の重複箇所５４１では何度も記録処理が行われる。書替えを繰り返すとウォブルグルーブまたはウォブルランドの物理的な形状が変化（劣化）し、そこからのウォブル再生信号品質が低下する。本実施形態では図１０の（ｆ）に示すように、書替え時あるいは追記時の重複箇所５４１がウォブルシンク領域５８０やウォブルアドレス領域５８６内に来るのを避け、無変調領域５９０内に記録されるように工夫している。無変調領域５９０は一定のウォブルパターン（ＮＰＷ）が繰り返されるだけなので、部分的にウォブル再生信号品質が劣化しても前後のウォブル再生信号を利用して補間できる。このように書替え時あるいは追記時の重複箇所５４１位置を無変調領域５９０内に来るように設定したため、ウォブルシンク領域５８０またはウォブルアドレス領域５８６内での形状劣化によるウォブル再生信号品質の劣化を防止し、ウォブルアドレス情報６１０からの安定なウォブル検出信号を保証できると言う効果が生じる。
【００９３】
図１２は、追記形情報記憶媒体上に記録される追記形データの追記方法の説明図である。追記形情報記憶媒体においては１回のみの記録になるので、上記に説明したランダムシフトを必要としない。追記形情報記憶媒体においても図１１に示したように物理セグメントの先頭位置２４ウォブル以降にデータセグメントの先頭位置が来るように設定し、重ね書きの場所がウォブルの無変調領域に来るようになっている。
【００９４】
本実施形態では“Ｈ→Ｌ”記録膜と“Ｌ→Ｈ”記録膜の両方の使用を許容している。本実施形態で規定している“Ｈ→Ｌ”記録膜と“Ｌ→Ｈ”記録膜の光反射率範囲を図１３に示す。本実施形態では“Ｈ→Ｌ”記録膜の非記録部での反射率下限値が“Ｌ→Ｈ”記録膜の非記録部での上限値より高くなるように規定している所に特徴がある。情報記録再生装置あるいは情報再生装置に上記情報記憶媒体を装着した時、図示しないスライスレベル検出部１３２、またはＰＲ等化回路１３０で非記録部の光反射率を測定し、瞬時に“Ｈ→Ｌ”記録膜か“Ｌ→Ｈ”記録膜の判別が出来るので、記録膜の種別判別が非常に容易になる。多くの製造条件を変えて作成した“Ｈ→Ｌ”記録膜と“Ｌ→Ｈ”記録膜を作成して測定した結果、“Ｈ→Ｌ”記録膜の非記録部での反射率下限値と“Ｌ→Ｈ”記録膜の非記録部での上限値の間の光反射率αを３６％にすると記録膜の製造性が高く、媒体の低価格化が容易である事が分かった。“Ｌ→Ｈ”記録膜の非記録部（“Ｌ”部）の光反射率範囲８０１を再生専用形情報記憶媒体における片面２記録層の光反射率範囲８０３に一致させ、“Ｈ→Ｌ”記録膜の非記録部（“Ｈ”部）の光反射率範囲８０２を再生専用形情報記憶媒体における片面単層の光反射率範囲８０４に一致させると、再生専用形情報記憶媒体との互換性が良く、情報再生装置の再生回路を兼用化出来るので情報再生装置を安価に作ることができる。多くの製造条件を変えて作成した“Ｈ→Ｌ”記録膜と“Ｌ→Ｈ”記録膜を測定した結果、記録膜の製造性を高めて媒体の低価格化を容易にするために、本実施形態では“Ｌ→Ｈ”記録膜の非記録部（“Ｌ”部）の光反射率の下限値βを１８％、上限値γを３２％とし、“Ｈ→Ｌ”記録膜の非記録部（“Ｈ”部）の光反射率下限値δを４０％、上限値εを７０％にした。
【００９５】
図１３は、“Ｈ→Ｌ”記録膜と“Ｌ→Ｈ”記録膜の光反射率範囲を示す図である。図１３のように非記録部での光反射率範囲を規定することにより、グルーブレベルを基準として“Ｌ→Ｈ”記録膜ではエンボス領域（システムリードインＳＹＬＤＩなど）と記録マーク領域（データリードイン／アウトＤＴＬＤＩ、ＤＴＬＤＯやデータ領域ＤＴＡ）で同じ方向に信号が現れる。同様に、“Ｈ→Ｌ”記録膜ではグルーブレベルを基準としてエンボス領域（システムリードインＳＹＬＤＩなど）と記録マーク領域（データリードイン／アウトＤＴＬＤＩ、ＤＴＬＤＯやデータ領域ＤＴＡ）で反対方向に信号が現れる。この現象を利用し、“Ｌ→Ｈ”記録膜と“Ｈ→Ｌ”記録膜間での記録膜識別に使えるだけでなく、“Ｌ→Ｈ”記録膜と“Ｈ→Ｌ”記録膜に対応した検出回路設計が容易となる。
【００９６】
図１４は、ＰＯインターリーブ後のＥＣＣブロックの詳細構造を示す図である。図１４に示したように、本実施形態では６４ＫＢのデータで１ＥＣＣブロックを構成するため、記録位置管理データＲＭＤのデータサイズを１ＥＣＣブロックサイズに合わせることにより、追記処理の簡素化を図っている。
【００９７】
同一のデータフレーム内を複数の小ＥＣＣブロックに分散配置する所に本実施形態の特徴がある。具体的には本実施形態では２個の小ＥＣＣブロックで大きな１ＥＣＣブロックを構成し、同一のデータフレーム内をこの２個の小ＥＣＣブロック内に交互に分散配置する。中央に記載された１０バイトサイズのＰＩは、その左側に配置されている１７２バイトに対して付加され、右端に記載された１０バイトサイズのＰＩは、その左側で中央に配置されている１７２バイトに対して付加される。つまり左端から１７２バイトと連続する１０バイトのＰＩで左側（Left 側）の小ＥＣＣブロックを構成し、中央の１７２バイトから右端の１０バイトのＰＩで右側（Right 側）の小ＥＣＣブロックを構成している。
【００９８】
それに対応して各枠内の記号が設定されている。例えば“２−Ｒ”などの意味はデータフレーム番号と左右の小ＥＣＣブロックのどちらに属するか（例えば２番目のデータフレーム内で Right 側の小ＥＣＣブロックに属する）を表している。また、最終的に構成される物理セクタ毎に同一物理セクタ内のデータも交互に左右の小ＥＣＣブロック内に分散配置される（図１４に示した左側の小ＥＣＣブロックＡ）内に含まれ、右半分の列は右側の小ＥＣＣブロック（図１４に示した右側の小ＥＣＣブロックＢ）内に含まれる。
【００９９】
このように同一のデータフレーム内を複数の小ＥＣＣブロックに分散配置すると、物理セクタ内データのエラー訂正能力を向上させる事による記録データの信頼性向上が図れる。例えば、記録時にトラックが外れて既記録データ上をオーバーライトしてしまい、１物理セクタ分のデータが破壊された場合を考える。本実施形態では１セクタ内の破壊データを２個の小ＥＣＣブロックを用いてエラー訂正を行うため、１個のＥＣＣブロック内でのエラー訂正の負担が軽減され、より性能の良いエラー訂正が保証される。また、本実施形態ではＥＣＣブロック形成後でも各セクタの先頭位置にデータＩＤが配置される構造になっているため、アクセス時のデータ位置確認が高速で行える。
【０１００】
図１５は、記録位置管理データＲＭＤ内のデータ構造を示す図である。本実施形態では最初のボーダー内領域ＢＲＤＡ＃１に対するボーダーインＢＲＤＩをデータリードインＤＴＬＤＩと一部兼用しているため、データリードイン領域ＤＴＬＤＩ内の記録位置管理ゾーンＲＭＺには最初のボーダー内領域に対応する記録位置管理データＲＭＤ＃１〜ＲＭＤ＃３が記録されている。データ領域ＤＴＡ内に全くデータが記録されて無い場合、記録位置管理ゾーンＲＭＺ内は全てデータが未記録状態である予約領域２７３になる。データ領域ＤＴＡ内にデータが追記される毎に、更新された記録位置管理データＲＭＤが予約領域２７３内の最初の場所に記録され、記録位置管理ゾーンＲＭＺ内の最初のボーダー内領域に対応した記録位置管理データＲＭＤが順次追記されて行く。記録位置管理ゾーンＲＭＺ内に一回毎に追記される記録位置管理データＲＭＤのサイズは６４Ｋバイトにしている。
【０１０１】
１個の記録位置管理データＲＭＤ＃１内のデータ構造を図１５（ｃ）に示す。図１５（ｃ）ではデータリードイン領域ＤＴＬＤＩ内の記録位置管理データＲＭＤ＃１内のデータ構造を示しているが、それに限らず、ＲＭＤディプリケーションゾーンＲＤＺ内に記録する記録位置管理データＲＭＤ＃Ａ、ＲＭＤ＃Ｂや後述するボーダーインＢＲＤＩ内に記録される（拡張）記録位置管理データＲＭＤ（図１６の（ｄ））やＲゾーン内に記録される（拡張）記録位置管理データＲＭＤ内のデータ構造、およびボーダーアウトＢＲＤＯ内に記録するＲＭＤのコピーＣＲＭＤ（図１６の（ｄ））も同じ構造を取る。図１５の（ｃ）に示すように１個の記録位置管理データＲＭＤ内はリザーブ領域と“０”から“２１”までのＲＭＤフィールドから構成されている。本実施形態では６４ＫＢのユーザデータから構成される１個のＥＣＣブロック内に３２個の物理セクタが含まれており、１個の物理セクタ内には２ＫＢ（厳密には２０４８バイト）のユーザデータがそれぞれ記録されている。１個の物理セクタ内に記録されるユーザデータサイズに合わせて各ＲＭＤフィールドはそれぞれ２０４８バイト毎に割り振られ、相対的な物理セクタ番号が設定されている。この相対的な物理セクタ番号順に追記形情報記憶媒体上にＲＭＤフィールドが記録される。各ＲＭＤフィールド内に記録されるデータ内容の概要は
・ＲＭＤフィールド０…ディスク状態に関する情報とデータエリアアロケーション（データ領域内の各種データの配置場所に関する情報）
・ＲＭＤフィールド１…使用したテストゾーンに関する情報と推奨の記録波形に関する情報
・ＲＭＤフィールド２…ユーザが使用できるエリア
・ＲＭＤフィールド３…ボーダーエリアの開始位置情報と拡張ＲＭＺ位置に関する情報
・ＲＭＤフィールド４〜２１…Ｒゾーンの位置に関する情報
となっている。
【０１０２】
なお、追記形情報記憶媒体ではＲＭＤディプリケーションゾーンＲＤＺと記録位置管理ゾーンＲＭＺ、Ｒ物理情報ゾーンＲ-ＰＦＩＺが独自に存在する。記録位置管理ゾーンＲＭＺ内にはデータの追記処理により更新されるデータの記録位置に関する管理情報である記録位置管理データＲＭＤ（Recording Management Data）が記録される。本実施形態では各ボーダー内領域ＢＲＤＡ毎にそれぞれ記録位置管理ゾーンＲＭＺを設定し、記録位置管理ゾーンＲＭＺの領域の拡張を可能としている。その結果、追記頻度が増加して必要とする記録位置管理データＲＭＤ領域が増加しても、逐次、記録位置管理ゾーンＲＭＺを拡張することにより対応可能なため、追記回数を大幅に増やせると言う効果が生まれる。この場合、本実施形態では各ボーダー内領域ＢＲＤＡに対応した（各ボーダー内領域ＢＲＤＡの直前に配置された）ボーダーインＢＲＤＩ内に記録位置管理ゾーンＲＭＺを配置する。本実施形態では、最初のボーダー内領域ＢＲＤＡ＃１に対応したボーダーインＢＲＤＩとデータリードイン領域ＤＴＬＤＩとを兼用化し、データ領域ＤＴＡ内での最初のボーダーインＢＲＤＩの形成を省略して、データ領域ＤＴＡの有効活用を行っている。すなわち、データリードイン領域ＤＴＬＤＩ内の記録位置管理ゾーンＲＭＺは最初のボーダー内領域ＢＲＤＡ＃１に対応した記録位置管理データＲＭＤの記録場所として利用されている。
【０１０３】
ＲＭＤディプリケーションゾーンＲＤＺは記録位置管理ゾーンＲＭＺ内の下記の条件を満足する記録位置管理データＲＭＤの情報を記録する場所で、本実施形態のように記録位置管理データＲＭＤを重複して持つことにより、記録位置管理データＲＭＤの信頼性を高めている。すなわち、追記形情報記憶媒体の表面に付いたゴミや傷の影響で記録位置管理ゾーンＲＭＺ内の記録位置管理データＲＭＤが読み取り不可能になった場合、ＲＭＤディプリケーションゾーンＲＤＺ内に記録された記録位置管理データＲＭＤを再生し、更に残りの必要な情報をトレーシングにより収集することにより、最新の記録位置管理データＲＭＤの情報を復元できる。
【０１０４】
ＲＭＤディプリケーションゾーンＲＤＺ内にはボーダー（複数のボーダーも含む）をクローズする時点での記録位置管理データＲＭＤが記録される。１個のボーダーをクローズし、次の新たなボーダー内領域を設定する毎に新たな記録位置管理ゾーンＲＭＺを定義するので、新たな記録位置管理ゾーンＲＭＺを作成する毎に、その前のボーダー内領域に関係した最後の記録位置管理データＲＭＤをＲＭＤディプリケーションゾーンＲＤＺ内に記録すると言っても良い。追記形情報記憶媒体上に記録位置管理データＲＭＤを追記する毎に同じ情報をＲＭＤディプリケーションゾーンＲＤＺに記録すると、比較的少ない追記回数でＲＭＤディプリケーションゾーンＲＤＺが一杯になってしまうため追記回数の上限値が小さくなってしまう。それに比べて本実施形態のようにボーダーをクローズした時や、ボーダーインＢＲＤＩ内の記録位置管理ゾーンＲＭＺ内が一杯になりＲゾーンを用いて新たな記録位置管理ゾーンＲＭＺを形成する時などの新たに記録位置管理ゾーンＲＭＺを作る場合に、今までの記録位置管理ゾーンＲＭＺ内の最後の記録位置管理データＲＭＤのみをＲＭＤディプリケーションゾーンＲＤＺ内に記録することにより、ＲＭＤディプリケーションゾーンＲＤＺ内を有効活用して追記可能回数を向上できる効果がある。
【０１０５】
例えば、追記途中の（ボーダークローズする前の）ボーダー内領域ＢＲＤＡに対応した記録位置管理ゾーンＲＭＺ内の記録位置管理データＲＭＤが追記形情報記憶媒体の表面に付いたゴミや傷の影響で再生不可能になった場合には、ＲＭＤディプリケーションゾーンＲＤＺ内の最後に記録された記録位置管理データＲＭＤを読み取ることにより、既にクローズされたボーダー内領域ＢＲＤＡの場所が分かる。したがって、情報記憶媒体のデータ領域ＤＴＡ内のそれ以外の場所をトレースすることにより、追記途中の（ボーダークローズする前の）ボーダー内領域ＢＲＤＡの場所とそこに記録された情報内容を収集でき、最新の記録位置管理データＲＭＤの情報を復元できる。
【０１０６】
図１６は、追記形情報記憶媒体におけるボーダー領域の構造を説明する図である。ＲＤＺリードインＲＤＺＬＩの領域のサイズと上記１個の記録位置管理データＲＭＤのサイズが６４ＫＢすなわち、１個のＥＣＣブロック内のユーザデータサイズの整数倍になっている所に本実施形態の特徴がある。追記形情報記憶媒体の場合、１個のＥＣＣブロック内のデータの一部を変更後に情報記憶媒体に変更後のＥＣＣブロックのデータを書き替えると言う処理が出来ない。したがって、特に追記形情報記憶媒体の場合には、１個のＥＣＣブロックを含むデータセグメントの整数倍で構成されるレコーディングクラスタ（ｂ）単位で記録される。したがって、ＲＤＺリードインＲＤＺＬＩの領域のサイズと上記１個の記録位置管理データＲＭＤのサイズがＥＣＣブロック内のユーザデータサイズと異なると、レコーディングクラスタ単位に合わせるためのパディング領域またはスタッフィング領域が必要となり、実質的な記録効率が低下する。本実施形態のようにＲＤＺリードインＲＤＺＬＩの領域のサイズと上記１個の記録位置管理データＲＭＤのサイズが６４ＫＢの整数倍に設定することにより、記録効率の低下を防止できる。
【０１０７】
次に、対応ＲＭＺ最後の記録位置管理データＲＭＤ記録領域２７１についての説明を行う。リードイン領域の内側に記録中断時の中間情報を記録する方法がある。この場合には記録を中断する毎あるいは追記処理を行う毎に、この領域に中間情報（本実施形態では記録位置管理データＲＭＤ）を逐次追記する必要がある。そのため、頻繁に記録中断または追記処理が繰り返されると、この領域が直ぐに満杯となり更なる追加処理が不可能になると言う問題が発生する。この問題を解決するために、本実施形態では特定の条件を満たす時にのみ、更新された記録位置管理データＲＭＤを記録できる領域としてＲＭＤディプリケーションゾーンＲＤＺを設定し、特定条件の下で間引かれた記録位置管理データＲＭＤを記録する事を特徴とする。このようにＲＭＤディプリケーションゾーンＲＤＺ内に追記される記録位置管理データＲＭＤの頻度を低下させることにより、ＲＭＤディプリケーションゾーンＲＤＺ内が満杯になるのを防ぎ、追記形情報記憶媒体に対する追記可能な回数を大幅に向上できると言う効果がある。
【０１０８】
これと並行して、追記処理毎に更新される記録位置管理データＲＭＤは、図１６に示すボーダーインＢＲＤＩ内（最初のボーダー内領域ＢＲＤＡ＃１に関してはデータリードイン領域ＤＴＬＤＩ内）の記録位置管理ゾーンＲＭＺ、あるいはＲゾーンを利用した記録位置管理ゾーンＲＭＺ内に、逐次追記される。そして、次のボーダー内領域ＢＲＤＡを作成（新たなボーダーインＢＲＤＩを設定）したり、Ｒゾーン内に新たな記録位置管理ゾーンＲＭＺを設定する等、新たな記録位置管理ゾーンＲＭＺを作る時に、最後の（新たな記録位置管理ゾーンＲＭＺを作る直前の状態での最新の）記録位置管理データＲＭＤをＲＭＤディプリケーションゾーンＲＤＺ（の中の対応ＲＭＺ最後の記録位置管理データＲＭＤ記録領域２７１）内に記録する。これにより、追記形情報記憶媒体への追記可能回数が大幅に増大するだけでなく、この領域を利用することにより、最新のＲＭＤ位置検索が容易になると言う効果が生まれる。
【０１０９】
図１７は、この発明の一実施の形態と現行ＤＶＤ−Ｒとの比較を示す図である。図１７に本実施形態と現状のＤＶＤ−Ｒとの比較を示す。本実施形態はボーダークローズの時間を短くしたいので、最小記録容量（ボーダークローズ時）の記録幅を現状のＤＶＤ−Ｒに比べて短く（１．６５ｍｍから１．０ｍｍ）している。これにより、無駄な記録情報を少なくして、ファイナライズ時間を短縮した。本実施形態は記録容量が現状のＤＶＤ−Ｒに比べて大幅に増えている（４．７ＧＢから１５ＧＢ）ので、Ｒゾーンの最大数をほぼ２倍（２３０２から４６０６）としている。記録単位は現状のＤＶＤ−Ｒでは１ＥＣＣブロックであるが、本実施形態では１物理セグメントである。１物理セグメントブロックは１ＥＣＣブロックの前後にＶＦＯ領域、プリシンク領域、ポストアンブル領域、エキストラ領域、バッファ領域の余分な領域をつけて一つのデータセグメント５３１とする。このデータセグメントの組合せでデータ記録の単位である物理セグメントが作られる。
【０１１０】
１ＥＣＣブロックの前後に余分な領域（ガード領域）をつけているので、追記の時にＥＣＣブロックの最後から連続して記録できない。これは、ＥＣＣブロックの最後から追記しようとしても、ディスクの回転むら等で記録位置が多少ずれることがあるからである。記録位置が前にずれる分には、上書きにより既記録データの最後部分が消えてしまうが、消えたデータはエラー訂正により復元できるので、問題はあまりないが、後ろにずれると、ディスク上に未記録部分が生じるので、プレーヤでは再生できなくなり、大問題になる。そのため、現状では追記する際は、記録位置を多少前にずらして既記録データの最後部分に上書きし、最後のデータを壊している。本実施形態では、ＥＣＣブロックの前後にガード領域を持っているので、ガード領域内で重ね書きし、ユーザデータは安定して壊すことなく追記できる。このため、本願のデータ構造は記録データの信頼性を上げることができる。
【０１１１】
ボーダークローズする際には、第１、第２Ｒゾーン（オープンＲゾーン）（内周側から第１、第２、第３ゾーンと呼ばれる）の未記録部分が“００ｈ”で埋められ、第３Ｒゾーン（インコンプリートＲゾーン）の記録データの外側にボーダーアウトが記録される。ボーダーアウトの外側にボーダーインが記録され、その中に拡張記録位置管理ゾーンＥＸ．ＲＭＺが記録される。図１７に示すように、記録管理位置データＲＭＤはボーダーインの拡張記録位置管理ゾーンＥＸ．ＲＭＺを使用して３９２回以上（１６３８４回）更新可能である。しかし、ボーダーインの拡張記録位置管理ゾーンＥＸ．ＲＭＺを使用する前に、ボーダーはクローズしなければならず、時間がかかる。
【０１１２】
図１８は、情報再生装置もしくは情報記録再生装置における情報記憶媒体装着直後の処理手順を示すフローチャートである。ディスクが装置に装着されると、バーストカッティング領域ＢＣＡが再生される（ＳＴ２２）。本実施形態はＨＤ＿ＤＶＤ−Ｒディスクをサポートし、ディスクの媒体極性は“Ｌ-to-Ｈ”と“Ｈ-to-Ｌ”の両方をサポートする。システムリードイン領域を再生し（ＳＴ２４）、ＲＭＤディプリケーションゾーンＲＤＺを再生する（ＳＴ２６）。ブランクではないディスクはＲＭＤディプリケーションゾーンＲＤＺに記録位置管理データＲＭＤが記録されている。記録位置管理データＲＭＤの記録の有無に応じて、ブランクディスクか否かを判断する（ＳＴ２８）。ブランクディスクの場合（ＳＴ２８Ｙ）は本処理は終了する。ブランクディスクでない場合（ＳＴ２８Ｎ）は最新の記録位置管理データＲＭＤを検索し（ＳＴ３０）、現在使用している追記可能なＲゾーンの番号、Ｒゾーンの開始物理セグメント番号、最後の記録位置ＬＲＡを求める。なお、追記可能なＲゾーン３つまで設定可能である。ブランクではないディスクを排出する時は、ボーダークローズ、あるいはファイナライズを実行する。
【０１１３】
図１９は、情報記録再生装置における追記形情報記憶媒体への情報の追記方法を説明するためのフローチャートである。ホストから記録指示（write(10)）が与えられると、記録位置管理データＲＭＤを記録する記録位置管理ゾーンＲＭＺの残量が十分であるか否かを判断する（ＳＴ３２）。残量が十分でない場合（ＳＴ３２Ｎ）は、図示しないホストへ“ＲＭＺの残量小”を報告する（ＳＴ３４）。この場合は、記録位置管理ゾーンＲＭＺの拡張が想定される。
【０１１４】
残量が十分である場合（ＳＴ３２Ｙ）は、ＯＰＣ（どこまで試し書きしたかを記録する処理）が必要であるか否かを判断する（ＳＴ３６）。必要である場合（ＳＴ３６Ｙ）は、ＯＰＣを実行し（ＳＴ３８）、ステップＳＴ４０で記録位置管理データＲＭＤの更新が必要か否か判断する（ＳＴ４０）。更新が必要な場合（ＳＴ４０Ｙ）とは、Ｒゾーン予約直後の記録指示の場合と、最新ＲＭＤ中の最終記録位置ＮＷＡと実際の最終記録位置ＮＷＡとの差が１６ＭＢ以上である場合である。記録位置管理データＲＭＤの更新が行われ（ＳＴ４２）、データが記録され（ＳＴ４４）、ホストに記録終了が報告され（ＳＴ４６）、動作を終了する。
【０１１５】
図２０は、拡張可能な記録位置管理ゾーンＲＭＺの設定方法の概念を示す図である。当初はデータリードイン領域に記録位置管理データＲＭＤを保存するための記録位置管理ゾーンＲＭＺが設定されている。記録位置管理ゾーンＲＭＺを使い切ると、データ領域が空いていても、ディスクへのデータの記録が不可能となるので、記録位置管理ゾーンＲＭＺの残量が少なくなると、拡張記録位置管理ゾーンＥＸ．ＲＭＺを設定する。拡張記録位置管理ゾーンＥＸ．ＲＭＺはユーザデータが記録されるボーダー内領域に設定してもよいし、ボーダーゾーン（隣接するボーダーアウトとボーダーインからなる）に設定してもよい。すなわち、ボーダー内領域内の拡張記録位置管理ゾーンＥＸ．ＲＭＺとボーダーイン内の拡張記録位置管理ゾーンＥＸ．ＲＭＺとはディスク内で混在可能である。拡張記録位置管理ゾーンＥＸ．ＲＭＺが設定されると、最新の記録位置管理データＲＭＤが１物理セグメントブロックとしてＲＭＤディプリケーションゾーンＲＤＺにコピーされる。ＲＭＤディプリケーションゾーンＲＤＺは拡張記録位置管理ゾーンＥＸ．ＲＭＺの位置を管理するために使用される。ＲＭＤディプリケーションゾーンＲＤＺは１２８物理セグメントブロックからなるので、記録位置管理ゾーンＲＭＺはディスク内で１２７回拡張可能であり、ディスク内のボーダーゾーンの数は最大１２８個である。ボーダー内領域の１２７個の拡張記録位置管理ゾーンＥＸ．ＲＭＺを使って記録位置管理データＲＭＤは１６３４８回まで拡張可能である。
【０１１６】
図２１は、図２０の詳細を示す図である。すなわち、ボーダー内領域の拡張記録位置管理ゾーンＥＸ．ＲＭＺは隣接するＲゾーンの間に設定される。ボーダーゾーンに拡張される場合は、通常はボーダーインの末尾に設定される。
【０１１７】
上述のフォーマットを用いた情報記録媒体を作製し、ランダムデータの情報の記録を行った。その結果、Ｌ０ジッターは６．２％と非常に良好な特性が得られた。また、７Ｔマーク７Ｔスペースの繰り返しパターンを記録再生したところ、波形歪みは非常に小さく、（再生信号のうちの）スペースレベルであるI11Lの最大値と最小値の差（［I11Lmax-I11Lmin］／I11min）は３％であった。この差（違い）は、１０％以下であれば、図２３に例示されるようにエラーレート（ＳｂＥＲ）が1.0e-04以下となり、実用性は充分である。また、記録後のマーク部分の物理的な歪（体積変化やマークとその周囲との間の界面状態変化）が１０％以下に収まる有機色素材料を記録層に用いると、図２２に例示されるように、エラーレート（ＳｂＥＲ）が1.0e-04以下となり、実用性あることが確認される。
【０１１８】
図２４は、この発明の一実施の形態に係る光ディスク（記録後のマークに変形あるいは変化が生じないような有機色素材料を記録層に用いたディスク）１００を用いた記録方法を説明するフローチャートである。図示しないディスクドライブの光ピックアップから、例えば波長４０５ｎｍの変調されたレーザをディスク１００の記録対象層（Ｌ０またはＬ１）に照射して、オブジェクトデータ（ＤＶＤまたはＨＤ＿ＤＶＤでは、ＶＯＢ等）を記録する（ＳＴ１００）。この記録が終了すると（ＳＴ１０２Ｙ）、記録されたオブジェクトデータに関する管理情報（ＤＶＤまたはＨＤ＿ＤＶＤでは、ＶＭＧ）がディスク１００に書き込まれて（ＳＴ１０４）、１回の記録が終了する。
【０１１９】
図２５は、この発明の一実施の形態に係る光ディスク（記録後のマークに変形あるいは変化が生じないような有機色素材料を記録層に用いたディスク）１００を用いた再生方法を説明するフローチャートである。図２４のような処理でオブジェクトデータおよび管理情報が記録されたディスク１００から、例えば波長４０５ｎｍのレーザにより、管理情報が読み取られる（ＳＴ２００）。読み取られた管理情報は、図示しない再生機器のワークメモリに一旦記憶される。この再生機器は、記憶した管理情報内の再生手順に関する情報等を参照して、記録されたオブジェクトデータを再生する（ＳＴ２０２）。この再生は、ユーザが再生終了を指示するか、管理情報内の再生手順情報が再生終了を示すところまで再生が進むと、終了する（ＳＴ２０４Ｙ）。
【０１２０】
図２６は、図１の光ディスク１００における物理セクタレイアウトの一例を説明する図である。図２６に例示されるように、２層のレイヤーにわたって設けられる情報領域は、７つの領域：システムリードイン領域、コネクション領域、データリードイン領域、データ領域、データリードアウト領域、システムリードアウト領域、ミドル領域からなる。各レイヤーにミドル領域が設けられることにより、再生ビームをレイヤー０（Ｌ０）からレイヤー１（Ｌ１）に移動させることができる。データ領域ＤＡはメインデータ（図１（ｅ）の例では管理情報ＶＭＧ、オブジェクトデータＶＯＢ等）を記録する。システムリードイン領域ＳＬＡは制御データと参照（リファレンス）コード等を含む。データリードアウト領域は連続するスムーズな読み出しを可能とする。
【０１２１】
《リードアウト領域》
システムリードイン領域とシステムリードアウト領域はエンボスピットからなるトラックを含む。レイヤー０（Ｌ０）のデータリードイン領域、データ領域、ミドル領域と、レイヤー１（Ｌ１）のミドル領域、データ領域、データリードアウト領域は、グルーブトラックを含む。グルーブトラックはレイヤー０のデータリードイン領域の開始位置からミドル領域の終了位置まで連続であり、レイヤー１のミドル領域の開始位置からデータリードアウト領域の終了位置まで連続である。なお、片面２層ディスク基板を１対用意して張り合わせると、２つの読み出し面を有する両面４層ディスクとなる。
【０１２２】
図２７は、図１の光ディスクにおけるリードイン領域の構成例を説明する図である。図２７に例示されるように、レイヤー０（Ｌ０）のシステムリードイン領域ＳＬＡは内周側から順にイニシャルゾーン、バッファーゾーン、制御（コントロール）データゾーン、バッファーゾーンからなる。レイヤー０のデータリードイン領域は内周側から順にブランクゾーン、ガードトラックゾーン、ドライブテストゾーン、ディスクテストゾーン、ブランクゾーン、ＲＭＤ（Recording Management Data）デュプリケーションゾーン、Ｌ−ＲＭＺ（記録位置管理データ）、Ｒ物理フォーマット情報ゾーン、参照コードゾーンからなる。レイヤー０（Ｌ０）のデータ領域の開始アドレス（内周側）とレイヤー１のデータ領域の終了アドレス（内周側）とはクリアランスの分だけずれており、レイヤー１（Ｌ１）のデータ領域の終了アドレス（内周側）の方がレイヤー０のデータ領域の開始アドレス（内周側）より外周側である。
【０１２３】
《リードイン領域の構造》
図２７はレイヤー０（Ｌ０）のリードイン領域の構造を例示している。システムリードイン領域は内周側から順にイニシャルゾーン、バッファーゾーン、コントロールデータゾーン、バッファーゾーンが配置される。データリードイン領域は内周側から順にブランクゾーン、ガードトラックゾーン、ドライブテストゾーン、ディスクテストゾーン、ブランクゾーン、ＲＭＤデュプリケーションゾーン、データリードイン領域内の記録位置管理（レコーディングマネージメント）ゾーン（Ｌ−ＲＭＺ）、Ｒ物理フォーマット情報ゾーン、参照コードゾーンが配置される。
【０１２４】
《システムリードイン領域の詳細》
イニシャルゾーンは、エンボスされたデータセグメントを含む。イニシャルゾーンのデータセグメントとして記録されたデータフレームのメインデータは、“００ｈ”に設定される。バッファーゾーンは、３２個のデータセグメントからの１０２４の物理セクタで構成される。このゾーンのデータセグメントとして記録されたデータフレームのメインデータは、“００ｈ”に設定される。コントロールデータゾーンは、エンボスされたデータセグメントを含む。データセグメントはエンボスされた制御データを含む。コントロールデータは、ＰＳＮ  １２３９０４（０１  Ｅ４００ｈ）を起点とする１９２のデータセグメントから構成される。
【０１２５】
コントロールデータゾーンの構成例を図２８に示す。また、コントロールデータセクションのデータセグメントの構成例を図２９に示す。コントロールデータセクションの最初のデータセグメントの内容は、１６回繰り返される。各データセグメントの最初の物理セクタは、物理フォーマット情報を含む。各データセグメントの２番目の物理セクタは、ディスク製造情報を含む。各データセグメントの３番目の物理セクタは、著作権保護情報を含む。各データセグメントの他の物理セクタの内容は、システム使用のためにリザーブ領域とされる。
【０１２６】
図３０はコントロールデータセクション内の物理フォーマット情報の一例を説明する図であり、図３１はこの物理フォーマット情報内のデータ領域配置の一例を説明する図である。この物理フォーマット情報の各バイト位置（ＢＰ）の記述内容は以下のようになっている。ＢＰ１３２からＢＰ１５４に示すリードパワー、記録速度、データ領域の反射率、プッシュプル信号、オントラック信号の値は一例である。これらの実際の値は、エンボス情報の規定、記録後のユーザデータの特性の規定を満足する値の中からディスク製造者が選ぶことができる。ＢＰ４〜ＢＰ１５に記述されたデータ領域配置の内容は、例えば図３１のようになる。
【０１２７】
図３０のＢＰ１４９、ＢＰ１５２は、レイヤー０、レイヤー１のデータ領域の反射率を指定する。例えば、００００  １０１０ｂは５％を示す。実際の反射率は次の式で指定される：
実際の反射率＝値×（１／２）。
【０１２８】
ＢＰ１５０、ＢＰ１５３は、レイヤー０、レイヤー１のプッシュプル信号を指定する。これらのＢＰ各々において、図示しないビットｂ７は各レイヤーのディスクのトラック形状を指定し、図示しないビットｂ６〜ｂ０はプッシュプル信号の振幅を指定する：
トラック形状：０ｂ（グルーブ上のトラック）
１ｂ（ランド上のトラック）
プッシュプル信号：例えば、０１０  １０００ｂは０．４０を示す。
【０１２９】
プッシュプル信号の実際の振幅は次の式で指定される：
プッシュプル信号の実際の振幅＝値×（１／１００）。
【０１３０】
ＢＰ１５１、ＢＰ１５４はレイヤー０、レイヤー１のオントラック信号の振幅を指定する：
オントラック信号：例えば、０１００  ０１１０ｂは０．７０を示す。
【０１３１】
オントラック信号の実際の振幅は次の式で指定される：
オントラック信号の実際の振幅＝値×（１／１００）
なお、物理フォーマット情報のＢＰ５１２〜ＢＰ５４３には図３２に例示するようなＬ０の記録関連パラメータを記述することができ、Ｌ０層の記録を行う際の当初のピークパワーやバイアスパワー等の情報は、図３２の記述から取り出すことができる。また、物理フォーマット情報のＢＰ５４４〜ＢＰ２０４７には図３３に例示するようなＬ１の記録関連パラメータを記述することができ、Ｌ１層の記録を行う際の当初のピークパワーやバイアスパワー等の情報は、図３３の記述から取り出すことができる。
【０１３２】
＜まとめ＞
（１）この発明の一実施の形態に係る光ディスクは、変調されたレーザパワーにより、スペースを挟んで複数のマークの記録が行われる記録層（Ｌ０、Ｌ１等）を持つものであって、記録された前記マークの領域内で前記記録層の物理的な変形あるいは変化（体積または断面積の変化）が実質的に生じない（例えば変形あるいは変化が１０％以下）有機色素材料（図２〜図４等参照）を、前記記録層に用いている。
【０１３３】
（２）前記記録層の物理的な変形あるいは変化が実質的に生じないということは、前記マークの領域における前記記録層の体積変化が１０％以下である（図２２等参照）ことに対応する。
【０１３４】
（３）あるいは、前記記録層の物理的な変形あるいは変化が実質的に生じないということは、前記マークの領域における前記記録層の界面状態または前記記録層の断面積の変化が１０％以下である（図２２等参照）ことに対応する。
【０１３５】
（４）前記記録層には、前記マーク記録が行われたときに化学的な変化を起こさない有機色素材料（例えば図４の色素）を用いることができる。
【０１３６】
（５）前記記録層に用いる前記有機色素材料の少なくとも一部は、中心金属に銅（Cu）またはコバルト（Co）またはニッケル（Ni）を用いたアゾ金属錯体（図２〜図４等参照）を含むことができる。
【０１３７】
（６）前記有機色素材料（アゾ金属錯体）は、色素分子内芳香環に置換している炭素３つ以上からなる置換基を（嵩高い置換基として）含むことができる。
【０１３８】
（７）記録に用いるレーザの波長をλとし、レーザを前記記録層に集光する対物レンズの開口数をＮＡとし、マークの長さおよびスペースの長さを共に１．２＊λ／ＮＡよりも長いパターンで記録し、このスペースからの再生信号レベルの最大値をI11Lmaxで表しその最小値をI11Lminで表しこの再生信号レベルの最大値と最小値の違いを［I11Lmax-I11Lmin］／I11minで表すときに、この［I11Lmax-I11Lmin］／I11minが１０％以下となる（図２３参照）ように構成できる。
【０１３９】
（８）スペースを挟んで複数のマークの記録が行われる記録層（Ｌ０、Ｌ１等）を持つものであって、記録された前記マークの領域内で前記記録層の物理的な変形あるいは変化（体積または断面積の変化）が実質的に生じない（例えば図２２または図２３の変化が１０％以下）有機色素材料を前記記録層に用いた光ディスク（１００）に情報記録を行う方法において、変調されたレーザパワーにより前記記録層にオブジェクトデータ（図１のＶＯＢ等）を記録し（ＳＴ１００）、変調されたレーザパワーにより前記記録層に前記オブジェクトデータの管理情報（図１のＶＭＧ）を記録する（ＳＴ１０４）ことができる。
【０１４０】
（９）上記の記録方法において、前記記録に用いるレーザの波長をλとし、前記レーザを前記記録層に集光する対物レンズの開口数をＮＡとし、前記マークの長さおよび前記スペースの長さを共に１．２＊λ／ＮＡよりも長いパターンで記録したときに、このスペースからの再生信号レベルの最大値と最小値の違い（［I11Lmax-I11Lmin］／I11min）が１０％以下となるように構成できる。
【０１４１】
（１０）スペースを挟んで複数のマークの記録が行われる記録層を持つものであって、記録された前記マークの領域内で前記記録層の物理的な変形あるいは変化（体積または断面積の変化）が実質的に生じない（例えば変形あるいは変化が１０％以下）有機色素材料を前記記録層に用いた光ディスク（１００）から情報再生を行う方法において、所定波長（例えば４０５ｎｍ）のレーザにより前記記録層（例えばＬ０またはＬ１）から管理情報（図１のＶＭＧ）を再生し（ＳＴ２００）、前記レーザにより前記記録層から前記管理情報で管理されているオブジェクトデータ（図１のＶＯＢ等）を再生する（ＳＴ２０２）ことができる。
【０１４２】
なお、この発明は前述した実施の形態に限定されるものではなく、現在または将来の実施段階では、その時点で利用可能な技術に基づき、その要旨を逸脱しない範囲で種々に変形することが可能である。たとえば、この発明は単層ディスクや２層ディスクだけでなく将来実用化されるであろう３層以上の記録層を持つ光ディスクにおいても実施可能である。
【０１４３】
また、各実施形態は可能な限り適宜組み合わせて実施してもよく、その場合組み合わせた効果が得られる。さらに、上記実施形態には種々の段階の発明が含まれており、開示される複数の構成要件における適当な組み合わせにより種々の発明が抽出され得る。例えば、実施形態に示される全構成要件からいくつかの構成要件が削除されても、この構成要件が削除された構成が発明として抽出され得る。
【符号の説明】
【０１４４】
１００…光ディスク（具体例として片面２層の追記型光ディスク）；１０１…Ｌ０層側のポリカーボネート基板；１０２…Ｌ１層側のポリカーボネート基板（ダミー基板）；１０３…紫外線硬化樹脂（接着層）；１０４…中間層；１０５…Ｌ０記録層；１０６…Ｌ０反射層（レーザ光に対して半透過性）；１０７…Ｌ１記録層；１０８…Ｌ１反射層（片面３層ならレーザ光に対して半透過性、片面２層ならレーザ光を完全反射）。
【図１】
2010205412.tif 000003
【図２】
2010205412.tif 000004
【図３】
2010205412.tif 000005
【図４】
2010205412.tif 000006
【図５】
2010205412.tif 000007
【図６】
2010205412.tif 000008
【図７】
2010205412.tif 000009
【図８】
2010205412.tif 000010
【図９】
2010205412.tif 000011
【図１０】
2010205412.tif 000012
【図１１】
2010205412.tif 000013
【図１２】
2010205412.tif 000014
【図１３】
2010205412.tif 000015
【図１４】
2010205412.tif 000016
【図１５】
2010205412.tif 000017
【図１６】
2010205412.tif 000018
【図１７】
2010205412.tif 000019
【図１８】
2010205412.tif 000020
【図１９】
2010205412.tif 000021
【図２０】
2010205412.tif 000022
【図２１】
2010205412.tif 000023
【図２２】
2010205412.tif 000024
【図２３】
2010205412.tif 000025
【図２４】
2010205412.tif 000026
【図２５】
2010205412.tif 000027
【図２６】
2010205412.tif 000028
【図２７】
2010205412.tif 000029
【図２８】
2010205412.tif 000030
【図２９】
2010205412.tif 000031
【図３０】
2010205412.tif 000032
【図３１】
2010205412.tif 000033
【図３２】
2010205412.tif 000034
【図３３】
2010205412.tif 000035
【図３４】
2010205412.tif 000036